(57)【要約】      （修正有）【課題】オンラインメディアインプレッションデータを共有するための装置、方法及び記憶媒体を提供する。【解決手段】プロセッサプラットフォーム１４００において、通信インターフェース１４２０と、ウェブサイト内に含ませる命令を作成すると共に、通信インターフェースに対して前記命令をウェブサイトに関連付けられたウェブサーバに提供させるプロセッサ１４１２と、を備える。【選択図】図１４
2020030849.tif 000002
【特許請求の範囲】
【請求項１】
要求への応答を送るステップであって、該応答は、視聴者測定エンティティによって使用される第１のクッキーの識別と、データベース所有者の指示と、を含む、ステップと、
前記データベース所有者によって使用される第２のクッキーへの前記第１のクッキーのマッピングと、前記データベース所有者によって前記第２のクッキーに関連付けられた人口統計情報と、を受け取るステップと、
を含む方法。
【請求項２】
前記マッピング及び前記人口統計情報が前記データベース所有者から非同期式通信で受け取られる、請求項１に記載の方法。
【請求項３】
前記応答がリダイレクトメッセージを含み、該リダイレクトメッセージはクライアントデバイスに前記データベース所有者へ要求を送らせる、請求項１に記載の方法。
【請求項４】
前記マッピングが第１の時点で受け取られ、且つ前記人口統計情報が前記第１の時点後の第２の時点で受け取られる、請求項１に記載の方法。
【請求項５】
前記要求の発生元のウェブサイトに基づいてデータベース所有者リストから前記データベース所有者を選択するステップをさらに含む、請求項１に記載の方法。
【請求項６】
前記データベース所有者を選択する前記ステップが、前記ウェブサイトに関連付けられた予想される人口統計グループに関して前記データベース所有者によって提供される人口統計情報の品質を決定するサブステップを含む、請求項５に記載の方法。
【請求項７】
前記要求が前記第１のクッキーを含むかどうかを決定すると共に、前記要求が前記第１のクッキーを含まないときに前記第１のクッキーを作成するステップをさらに含む、請求項１に記載の方法。
【請求項８】
要求への応答を送るリダイレクト器であって、該応答は、視聴者測定エンティティによって使用される第１のクッキーの識別と、データベース所有者の指示と、を含む、リダイレクト器と、
前記データベース所有者によって使用される第２のクッキーへの前記第１のクッキーのマッピングと、データベース所有者によって前記第２のクッキーに関連付けられた人口統計情報と、を受け取る通信インターフェースと、
を備える装置。
【請求項９】
前記通信インターフェースが、前記マッピング及び人口統計情報を前記データベース所有者から非同期式通信で受け取る、請求項８に記載の装置。
【請求項１０】
前記応答がリダイレクトメッセージを含み、該リダイレクトメッセージはクライアントデバイスに前記データベース所有者へ要求を送らせるためのリダイレクトメッセージを含む、請求項８に記載の装置。
【請求項１１】
前記通信インターフェースが、第１の時点で前記マッピングを受け取り且つ前記第１の時点後の第２の時点で前記人口統計情報を受け取る、請求項８に記載の装置。
【請求項１２】
前記要求の発生元のウェブサイトに基づいてデータベース所有者リストから前記データベース所有者を選択するためのパートナ選択器をさらに備える、請求項８に記載の装置。
【請求項１３】
前記パートナ選択器が前記データベース所有者の選択を行い、該選択は、前記ウェブサイトに関連付けられた予想される人口統計グループに関して前記データベース所有者によって提供される人口統計情報の品質を決定することを含む、請求項１２に記載の装置。
【請求項１４】
クッキー作成器をさらに備えており、前記リダイレクト器が前記要求が前記第１のクッキーを含むかどうかを決定すると共に、前記要求が前記第１のクッキーを含まないときに前記クッキー作成器が前記第１のクッキーを生成する、請求項８に記載の装置。
【請求項１５】
コンピュータ読み取り可能な命令を含むコンピュータ読み取り可能記憶媒体であって、
前記コンピュータ読み取り可能な命令は、実行時にプロセッサに対して少なくとも、
要求への応答を送るステップであって、該応答は、視聴者測定エンティティによって使用される第１のクッキーの識別と、データベース所有者の指示と、を含む、ステップと、
前記データベース所有者によって使用され且つ前記データベース所有者から受け取った第２のクッキーへの前記第１のクッキーのマッピングを記憶させると共に、前記第２のクッキーに関連付けされ且つ前記データベース所有者から受け取った人口統計情報を記憶するステップと、
を実行させる、コンピュータ読み取り可能記憶媒体。
【請求項１６】
前記マッピング及び人口統計情報が前記データベース所有者から非同期式通信で受け取られる、請求項１５に記載の記憶媒体。
【請求項１７】
前記応答がリダイレクトメッセージを含み、該リダイレクトメッセージはクライアントデバイスに前記データベース所有者へ要求を送らせる、請求項１５に記載の記憶媒体。
【請求項１８】
前記マッピングが第１の時点で受け取られ、且つ前記人口統計情報が前記第１の時点後の第２の時点で受け取られる、請求項１５に記載の記憶媒体。
【請求項１９】
前記命令が、さらに前記プロセッサに対して、前記要求の発生元のウェブサイトに基づいてデータベース所有者リストから前記データベース所有者を選択させる、請求項１５に記載の記憶媒体。
【請求項２０】
前記命令が、前記プロセッサに対して、前記ウェブサイトに関連付けられた予想される人口統計グループに関して前記データベース所有者によって提供される人口統計情報の品質の決定によって前記データベース所有者を選択させる、請求項１９に記載の記憶媒体。
【請求項２１】
前記命令が、さらに前記プロセッサに対して、前記要求が前記第１のクッキーかどうかを決定させると共に前記要求が前記第１のクッキーを含まないときに前記第１のクッキーを作成させる、請求項１５に記載の記憶媒体。
【請求項２２】
クライアントデバイスから第１の要求を受け取るステップであって、該第１の要求は視聴者測定エンティティクッキー識別子を含む、ステップと、
前記クライアントに関連付けられたデータベース所有者クッキーへの前記視聴者測定エンティティクッキーのクッキーマッピングを決定するステップと、
を含む方法。
【請求項２３】
前記クライアントに対して前記クッキーマッピングを前記視聴者測定エンティティへ送らせるためのリダイレクトメッセージを送るステップをさらに含む、請求項２２に記載の方法。
【請求項２４】
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、請求項２３に記載の方法。
【請求項２５】
前記視聴者測定エンティティへ、前記クッキーマッピングを含むメッセージを送るステップをさらに含む、請求項２２に記載の方法。
【請求項２６】
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、請求項２５に記載の方法。
【請求項２７】
クライアントデバイスから第１の要求を受け取るステップであって、該第１の要求は視聴者測定エンティティクッキー識別子を含む、ステップと、
前記クッキーに関連付けられた視聴者測定エンティティへクッキーマッピングを提供するステップであって、該クッキーマッピングは、データベース所有者クッキーと前記クライアントに関連付けられた前記視聴者測定クッキーとの間の関連付けを含むステップと、
を含む方法。
【請求項２８】
前記クッキーマッピングを提供する前記ステップが、前記クライアントに対して前記クッキーマッピングを前記視聴者測定エンティティへ送らせるためのリダイレクトメッセージを送るサブステップを含む、請求項２７に記載の方法。
【請求項２９】
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、請求項２８に記載の方法。
【請求項３０】
前記クッキーマッピングを提供する前記ステップが、前記クッキーマッピングを含むメッセージを前記視聴者測定エンティティへ送るサブステップを含む、請求項２７に記載の方法。
【請求項３１】
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、請求項３０に記載の方法。
【請求項３２】
クライアントデバイスから第１の要求を受け取る通信インターフェースであって、該第１の要求は視聴者測定エンティティクッキー識別子を含む、通信インターフェースと、
前記クライアントに関連付けられたデータベース所有者クッキーへの前記視聴者測定エンティティクッキーのクッキーマッピングを決定するクッキーマッピング器と、
を備える装置。
【請求項３３】
前記通信インターフェースが、前記クッキーに関連付けられた視聴者測定エンティティへクッキーマッピングを提供し、該クッキーマッピングは、前記データベース所有者クッキーと前記クライアントに関連付けられた前記視聴者測定クッキーとの間の関連付けを含む、請求項３２に記載の装置。
【請求項３４】
前記通信インターフェースが、前記クライアントに対して前記視聴者測定エンティティへ前記クッキーマッピングを送らせるためのリダイレクトメッセージを送ることによって、前記クッキーマッピングを提供する、請求項３３に記載の装置。
【請求項３５】
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、請求項３４に記載の装置。
【請求項３６】
前記通信インターフェースが、前記視聴者測定エンティティへ、前記クッキーマッピングを含むメッセージを送ることによって前記クッキーマッピングを提供する、請求項３３に記載の装置。
【請求項３７】
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、請求項３６に記載の装置。
【請求項３８】
クライアントデバイスから視聴者測定エンティティクッキー識別子を含む第１の要求を受け取ると共に、前記クッキーに関連付けられた視聴者測定エンティティへ、データベース所有者クッキーと前記クライアントに関連付けられた前記視聴者測定クッキーとの間の関連付けを含むクッキーマッピングを含むメッセージを提供する通信インターフェースと、
命令を実行するプロセッサであって、前記命令が前記プロセッサに対して前記メッセージを作成させる、プロセッサと、
を備える装置。
【請求項３９】
コンピュータ読み取り可能な命令を含むコンピュータ読み取り可能記憶媒体であって、
前記コンピュータ読み取り可能な命令は、実行時にプロセッサに対して少なくとも、
クライアントデバイスから第１の要求にアクセスするステップであって、該第１の要求は視聴者測定エンティティクッキー識別子を含む、ステップと、
前記クライアントに関連付けられたデータベース所有者クッキーへの前記視聴者測定エンティティクッキーのクッキーマッピングを決定するステップと、
を実行させる、コンピュータ読み取り可能記憶媒体。
【請求項４０】
前記クライアントに対して前記視聴者測定エンティティへ前記クッキーマッピングを送らせるためのリダイレクトメッセージを送るステップをさらに含む、請求項３９に記載の記憶媒体。
【請求項４１】
前記リダイレクトメッセージが、データベース所有者クッキー識別子、前記視聴者測定エンティティクッキー識別子、及び前記データベース所有者クッキー識別子と前記視聴者測定エンティティクッキー識別子の間の関連付けに関する指示を含む、請求項４０に記載の記憶媒体。
【請求項４２】
前記視聴者測定エンティティへ、前記クッキーマッピングを含むメッセージを送るステップをさらに含む、請求項３９に記載の記憶媒体。
【請求項４３】
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、請求項４２に記載の記憶媒体。
【請求項４４】
コンピュータ読み取り可能な命令を含むコンピュータ読み取り可能記憶媒体であって、
前記コンピュータ読み取り可能な命令は、実行時にプロセッサに対して少なくとも、
クライアントデバイスから第１の要求にアクセスするステップであって、該第１の要求は視聴者測定エンティティクッキー識別子を含む、ステップと、
前記クッキーに関連付けられた視聴者測定エンティティへ、データベース所有者クッキーと前記クライアントに関連付けられた前記視聴者測定クッキーとの間の関連付けを含むクッキーマッピングを提供するステップと、
を実行させる、コンピュータ読み取り可能記憶媒体。
【請求項４５】
前記クッキーマッピングを提供するステップが、前記クライアントに対して前記視聴者測定エンティティへ前記クッキーマッピングを送らせるためのリダイレクトメッセージを送るサブステップを含む、請求項４４に記載の記憶媒体。
【請求項４６】
前記リダイレクトメッセージが、データベース所有者クッキー識別子、前記視聴者測定エンティティクッキー識別子、及び前記データベース所有者クッキー識別子と前記視聴者測定エンティティクッキー識別子の間の関連付けに関する指示を含む、請求項４５に記載の記憶媒体。
【請求項４７】
前記クッキーマッピングを提供するステップが、前記視聴者測定エンティティへ、前記クッキーマッピングを含むメッセージを送るサブステップを含む、請求項４４に記載の記憶媒体。
【請求項４８】
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、請求項４７に記載の記憶媒体。
【請求項４９】
命令をウェブサイト内に含めるように提供するステップであって、該命令は、命令実行の際にクライアントに対してプロセスを開始させ、前記プロセスが、
視聴者測定エンティティに第１の要求を送るサブステップと、
第２の要求を送るサブステップであって、該第２の要求は、データベース所有者に対して、前記クライアントに対応するデータベース所有者クッキーへの視聴者測定エンティティクッキーのクッキーマッピングを前記視聴者測定エンティティへ送らせる、サブステップと、
を含む、提供するステップ
を含む方法。
【請求項５０】
前記ウェブサイトに関連付けられた情報を受け取ると共に前記情報に基づいて前記命令を作成するステップをさらに含む、請求項４９に記載の方法。
【請求項５１】
前記プロセスが、前記視聴者測定エンティティから、前記視聴者測定クッキーの識別子を含むリダイレクトメッセージを受け取るサブステップをさらに含む、請求項５０に記載の方法。
【請求項５２】
通信インターフェースと、
ウェブサイト内に含ませる命令を作成すると共に、前記通信インターフェースに対して前記命令を前記ウェブサイトに関連付けられたウェブサーバに提供させるプロセッサであって、前記命令は、前記命令の実行時にクライアントに対してプロセスを開始させ、前記プロセスは、
視聴者測定エンティティへの第１の要求を送るサブステップと、
データベース所有者に対して、前記クライアントに対応するデータベース所有者クッキーへの視聴者測定エンティティクッキーのクッキーマッピングを前記視聴者測定エンティティへ送らせる第２の要求を送るサブステップと、
を含む、プロセッサと、
を備える装置。
【請求項５３】
前記通信インターフェースが前記ウェブサイトに関連付けられた情報を受け取り、前記プロセッサが前記情報に基づいて前記命令を作成する、請求項５２に記載の装置。
【請求項５４】
前記プロセスが、前記視聴者測定エンティティからリダイレクトメッセージを受け取るサブステップであって、該リダイレクトメッセージは、前記視聴者測定クッキーの識別子を含む、サブステップをさらに含む、請求項５２に記載の装置。
【請求項５５】
視聴者測定エンティティへの第１の要求を送るステップと、
データベース所有者に対して、クライアントに対応するデータベース所有者クッキーへの視聴者測定エンティティクッキーのクッキーマッピングを前記視聴者測定エンティティへ送らせる第２の要求を送るステップと、
を含む方法。
【請求項５６】
前記データベース所有者クッキーを記憶するステップをさらに含む、請求項５５に記載の方法。
【請求項５７】
前記視聴者測定エンティティへの前記第１の要求を送る前記ステップが、ウェブページにおけるビーコン命令の実行に応答する、請求項５５に記載の方法。
【請求項５８】
前記第２の要求が、さらに前記データベース所有者に対して、前記クライアントに関連付けられた人口統計特性を前記視聴者測定エンティティへ送らせる、請求項５５に記載の方法。
【請求項５９】
前記視聴者測定エンティティへの第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
をさらに含む、請求項５５に記載の方法。
【請求項６０】
前記第２の要求が、前記データベース所有者に対して、前記クッキーマッピングを前記視聴者測定エンティティへ非同期式で送らせる、請求項５５に記載の方法。
【請求項６１】
前記視聴者測定エンティティへ前記クッキーマッピングを含む第３の要求を送るステップをさらに含む、請求項５５に記載の方法。
【請求項６２】
通信インターフェースと
ウェブブラウザであって、
前記通信インターフェースを介して視聴者測定エンティティへの第１の要求を送るステップ、及び
データベース所有者に対して、クライアントに対応するデータベース所有者クッキーへの視聴者測定エンティティクッキーのクッキーマッピングを前記視聴者測定エンティティへ送らせる第２の要求を、前記通信インターフェースを介して送るステップ、
を実行するウェブブラウザと、
を備える装置。
【請求項６３】
前記ウェブブラウザが、前記第１の要求において前記視聴者測定エンティティクッキーを送る、請求項６２に記載の装置。
【請求項６４】
前記ウェブブラウザが、ウェブページにおけるビーコン命令の実行に応答して前記第１の要求を前記視聴者測定エンティティへ送る、請求項６２に記載の装置。
【請求項６５】
前記第２の要求が、さらに前記データベース所有者に対して、前記クライアントに関連付けられた人口統計特性を前記視聴者測定エンティティへ送らせる、請求項６２に記載の装置。
【請求項６６】
前記ウェブブラウザが、
前記視聴者測定エンティティに第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
を実行する、請求項６２に記載の装置。
【請求項６７】
前記第２の要求が、前記データベース所有者に対して、前記クッキーマッピングを前記視聴者測定エンティティへ非同期式で送らせる、請求項６２に記載の装置。
【請求項６８】
前記ウェブブラウザが、前記クッキーマッピングを含む第３の要求を前記視聴者測定エンティティへ送る、請求項６２に記載の装置。
【請求項６９】
コンピュータ読み取り可能な命令を含むコンピュータ読み取り可能記憶媒体であって、
前記コンピュータ読み取り可能な命令は、実行時にプロセッサに対して少なくとも、
視聴者測定エンティティへの第１の要求を送るステップと、
データベース所有者に対して、クライアントに対応するデータベース所有者クッキーへの視聴者測定エンティティクッキーのクッキーマッピングを前記視聴者測定エンティティへ送らせる第２の要求を送るステップと、
を実行させる、コンピュータ読み取り可能記憶媒体。
【請求項７０】
前記命令が、さらに前記プロセッサに対して前記データベース所有者クッキーを記憶させる、請求項６９に記載の記憶媒体。
【請求項７１】
前記命令が、前記プロセッサに対して、ウェブページにおけるビーコン命令の実行に応答して前記第１の要求を前記視聴者測定エンティティへ送らせる、請求項６９に記載の記憶媒体。
【請求項７２】
前記第２の要求が、さらに前記データベース所有者に対して、前記クライアントに関連付けられた人口統計特性を前記視聴者測定エンティティへ送らせる、請求項６９に記載の記憶媒体。
【請求項７３】
前記命令が、さらに前記プロセッサに対して、
第３の要求を前記視聴者測定エンティティへ送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
を実行させる、請求項６９に記載の記憶媒体。
【請求項７４】
前記命令が、さらに前記プロセッサに対して、前記クッキーマッピングを含む第３の要求を前記視聴者測定エンティティへ送らせる、請求項６９に記載の記憶媒体。
【発明の詳細な説明】
【関連出願】
【０００１】
[0001]本特許は、参照により全体を本明細書に組み入れる２０１２年６月１１日に出願された米国特許仮出願第６１／６５８，２３３号、２０１３年４月９日に出願された米国特許仮出願第６１／８１０，２３５号、及び２０１３年４月１２日に出願されたオーストラリア国特許出願第２１０３２０４８６５号に対する優先権を主張するものである。
【開示の分野】
【０００２】
[0002]本開示は一般的にはメディアのモニタリングに関し、またより詳細には分散型人口統計情報を用いてインプレッション数を決定するための方法及び装置に関する。
【背景】
【０００３】
[0003]従来、視聴者測定エンティティは、登録されたパネルメンバに基づいてメディアプログラミングに関する視聴者関与（ａｕｄｉｅｎｃｅ  ｅｎｇａｇｅｍｅｎｔ）レベルを決定する。すなわち視聴者測定エンティティはモニタリングを受けることに同意した者をパネルに入会させる。次いで視聴者測定エンティティは、これらのパネルメンバに対して露出させたメディアプログラム（例えば、テレビ番組やラジオ番組、映画、ＤＶＤ、その他）を決定するためにこれらのパネルメンバをモニタリングする。このようにして、視聴者測定エンティティは、収集したメディア測定データに基づいて異なるメディアコンテンツについての露出方策を決定することが可能である。
【０００４】
[0004]ウェブページ、広告及び／又はその他のコンテンツなどのインターネットリソースに対するユーザアクセスをモニタリングするための技法は、ここ何年かで大きく進化した。幾つかの周知のシステムでは、このようなモニタリングを主にサーバログを通じて実行する。特に、インターネット上でコンテンツを配給するエンティティは周知の技法を用いて自身のサーバでこれらのコンテンツについて受け取った要求数をログ記録することが可能である。
【図面の簡単な説明】
【０００５】
【図１】[0005]図１は、ＡＭＥからパートナデータベース所有者（ＤＰ）へのリダイレクトに基づいて視聴者測定エンティティ（ＡＭＥ）対パートナクッキーマッピングを作成するための例示のシステムを示した図である。
【０００６】
【図２】[0006]図２は、ＡＭＥからパートナＤＰへのリダイレクトに基づいてＡＭＥ対パートナクッキーマッピングを作成するための図１の例示のシステムに対応する例示のメッセージ授受流れ図である。
【０００７】
【図３】[0007]図３は、ＡＭＥからパートナＤＰ１へのリダイレクトに基づいてＡＭＥ対パートナＤＰ１クッキーマッピングを作成するため、及び第２のパートナＤＰ（パートナＤＰ２）にパートナＤＰ２の登録ユーザを識別するための要求をさらに送るための別の例示のシステムを示した図である。
【０００８】
【図４】[0008]図４は、ＡＭＥからパートナＤＰ１へのリダイレクトに基づいてＡＭＥ対パートナＤＰ１クッキーマッピングを作成するため、及び第２のパートナＤＰ（パートナＤＰ２）にパートナＤＰ２の登録ユーザを識別するための要求をさらに送るための図３の例示のシステムに対応する例示のメッセージ授受流れ図である。
【０００９】
【図５Ａ】[0009]図５Ａは、第１のパートナＤＰからのオンラインキャンペーンレーティング（ＯＣＲ）データの収集と連携して第１及び第２のパートナデータベース所有者から分散型人口統計情報を収集するように実行させ得る例示のマシン読み取り可能命令を表した流れ図である。
【００１０】
【図５Ｂ】[0010]図５Ｂは、図５Ａの命令を実装する図１のシステムの例示のプロセスを示した図である。
【００１１】
【図６Ａ】[0011]図６Ａは、第１のパートナＤＰからＯＣＲデータを収集するためのＯＣＲ収集プロセスを伴うことなく第１及び第２のパートナデータベース所有者から分散型人口統計情報を収集するように実行させ得る例示のマシン読み取り可能命令を表した流れ図である。
【００１２】
【図６Ｂ】[0012]図６Ｂは、図６Ａの命令を実装する図１のシステムの例示のプロセスを示した図である。
【００１３】
【図７Ａ】[0013]図７Ａは、ユーザレベルのクッキー同期プロセスを実行するように実行させ得る例示のマシン読み取り可能命令を表した流れ図である。
【００１４】
【図７Ｂ】[0014]図７Ｂは、図７Ａの命令を実装する図１のシステムの例示のプロセスを示した図である。
【００１５】
【図８Ａ】[0015]図８Ａは、インプレッションレベルのクッキー同期プロセスを実行するように実行させ得る例示のマシン読み取り可能命令を表した流れ図である。
【００１６】
【図８Ｂ】[0016]図８Ｂは、図８Ａの命令を実装する図１のシステムの例示のプロセスを示した図である。
【００１７】
【図９】[0017]図９は、図１〜４、５Ｂ、６Ｂ、７Ｂ及び／又は８Ｂの例示のブラウザに関するパートナＤＰクッキーへのＡＭＥクッキーのマッピングが実装されるようにして当該ブラウザを実装するように実行させ得る例示のマシン読み取り可能命令を表した流れ図である。
【００１８】
【図１０】[0018]図１０は、パートナＤＰクッキーへのＡＭＥクッキーのマッピングを開始させるようにして図１〜４、５Ｂ、６Ｂ、７Ｂ及び／又は８Ｂの例示のＡＭＥサーバを実装するように実行させ得る例示のマシン読み取り可能命令を表した流れ図である。
【００１９】
【図１１】[0019]図１１は、パートナＤＰから取得した人口統計をオンライン活動モニタリング情報に関連付けさせるようにして図１〜４、５Ｂ、６Ｂ、７Ｂ及び／又は８Ｂの例示のＡＭＥサーバを実装するように実行させ得る例示のマシン読み取り可能命令を表した流れ図である。
【００２０】
【図１２】[0020]図１２は、パートナＤＰクッキーに対してＡＭＥクッキーをマッピングさせるようにして図１〜４、５Ｂ、６Ｂ、７Ｂ及び／又は８Ｂの例示のパートナＤＰサーバを実装するように実行させ得る例示のマシン読み取り可能命令を表した流れ図である。
【００２１】
【図１３】[0021]図１３は、ウェブサーバ（例えば、図１のウェブサーバ）によって配給されるビーコン命令（例えば、タグ）を作成するために図１の例示のビーコン命令作成器を実装するように実行させ得る例示のマシン読み取り可能命令を表した流れ図である。
【００２２】
【図１４】[0022]図１４は、本明細書に開示した例示の装置及びシステムを実装するための図５Ａ〜１３の例示の命令を実行するために使用し得る例示のプロセッサシステムの図である。
【００２３】
[0023]可能である場合には常に、本図面（複数可）及び付属して記載した説明の全体にわたって同じ部分又は同様の部分を指し示すために同じ参照番号を使用することにする。
【詳細な説明】
【００２４】
[0024]ウェブページ、コンテンツ、広告及び／又はその他のメディアなどのインターネットリソースへのユーザアクセスをモニタリングするための技法は、ここ何年かで大きく進化した。過去のある時点では、このようなモニタリングは主にサーバログを通じて実施されていた。特にインターネット上でメディア（例えば、コンテンツ及び／又は広告）を配給するエンティティは、自身のサーバでこれらのメディアについて受け取った要求数をログ記録することになる。インターネット使用リサーチをサーバログに基づくことは、幾つかの理由から問題である。例えば、直接に又はサーバにメディアを反復して要求しサーバログカウントを増加させるゾンビプログラムを介するかのいずれかによってサーバログが改ざんされる可能性がある。第２にメディアは時に、一度取り出されローカルでキャッシュされ次いでこのローカルキャッシュから反復して参照され、この反復参照においてサーバを必要としない。サーバログは、キャッシュされたメディアに対するこうした参照をトラッキングすることは不可能である。したがってサーバログでは過剰計数と過少計数の両方の誤りを生じやすい。
【００２５】
[0025]Ｂｌｕｍｅｎａｕの米国特許第６，１０８，６３７号で開示された発明は、インターネットモニタリングの実行方法を根本的に変更すると共に、上述したサーバサイドのログによるモニタリング技法の限界を克服する。例えばＢｌｕｍｅｎａｕは、追跡されようとするインターネットメディア（例えば、コンテンツ及び／又は広告）にビーコン命令がタグ付けされるような技法について開示している。特に、追跡されようとするメディアのＨＴＭＬにモニタリング命令を関連付ける。クライアントによってメディアが要求されると、メディアとビーコン命令の両方がそのクライアントにダウンロードされる。ビーコン命令はしたがって、メディアがアクセスを受けたときに、そのアクセスがサーバからであるかキャッシュからであるかに依らず常に実行される。米国特許第６，１０８，６３７号を参照によりその全体について本明細書に組み込むものとする。
【００２６】
[0026]ビーコン命令は、メディアへのアクセスに関する情報を反映したモニタリングデータをそのメディアをダウンロードしたクライアントからモニタリングエンティティへ送らせる。モニタリングエンティティは、クライアントにメディアを提供せず且つ正確な使用統計の提供について信頼できるサードパーティであるような視聴者測定エンティティ（例えば、Ｔｈｅ  Ｎｉｅｌｓｅｎ  Ｃｏｍｐａｎｙ，ＬＬＣ）とするのが典型的である。メディアがアクセスを受けると常にビーコン命令がそのメディアと関連付けされ且つクライアントブラウザによって実行されるため、クライアントが視聴者測定会社のパネリストであるかどうかとは無関係にモニタリング情報が視聴者測定会社に提供されるので有利である。
【００２７】
[0027]しかし、モニタリング情報に人口統計をリンクさせることが重要である。この問題に対処するために視聴者測定会社は、自分の人口統計情報を提供すること及び自分のインターネットブラウズ活動のモニタリングを受けることに同意したユーザからなるパネルを設定する。個人がパネルに参加した場合、その身元及び人口統計（例えば、性別、人種、収入、居住地、職業、その他）に関する詳細な情報を視聴者測定会社に提供する。視聴者測定エンティティはパネリストのコンピュータ上に、タグ付けされたメディアにパネリストがアクセスするたびに視聴者測定エンティティへそのパネリストの身元識別を可能にするクッキーを設定し、したがってモニタリング情報が視聴者測定エンティティに送られる。
【００２８】
[0028]タグ付けされたページからモニタリング情報を提供するクライアントの大部分はパネリストではなく、したがって視聴者測定エンティティにとって未知であるため、統計学的方法を用いることにより、パネリストに関して収集したデータに基づいた人口統計情報を大母集団のユーザに帰属させてタグ付けされたメディアに関するデータを提供することが必要である。しかし、視聴者測定エンティティのパネルの大きさはユーザの母集団全体と比較して小さいままである。したがって、パネルの人口統計データを確実に正確とさせながらパネルの大きさをいかにして大きくするかに関する問題が提起される。
【００２９】
[0029]インターネット上で業務するデータベース所有者は数多く存在する。これらのデータベース所有者は、多数の加入者にサービスを提供する。サービスの提供と引き換えに加入者はこの所有者に登録する。この登録の一部として加入者は、詳細な人口統計情報を提供する。このようなデータベース所有者の例には、Ｆａｃｅｂｏｏｋ［登録商標］、Ｍｙｓｐａｃｅ、などのソーシャルネットワーク提供者が含まれる。これらのデータベース所有者は、その加入者のコンピュータ上にクッキーを設定し、ユーザがそのウェブサイトを訪れたときにデータベース所有者がそのユーザを認識できるようにする。
【００３０】
[0030]インターネットのプロトコルによって、自分が設定したドメイン（例えば、インターネットドメイン、ドメイン名、その他）の外部ではクッキーがアクセス不可能にされる。したがって、ａｍａｚｏｎ．ｃｏｍドメインで設定したクッキーは、ａｍａｚｏｎ．ｃｏｍドメイン内のサーバにはアクセス可能であるが、このドメイン外のサーバにはアクセス不可能である。したがって、視聴者測定エンティティがデータベース所有者により設定されたクッキーにアクセスできれば有利であろうと考えたとしても、これを行うことは不可能である。
【００３１】
[0031]上述のことに鑑みて視聴者測定会社は、データベース所有者の既存のデータベースを活用してより広範なインターネット使用データ及び人口統計データを収集したいと望む。しかし視聴者測定エンティティは、この目的を達成するに際して幾つかの問題に直面する。例えば、加入者、パネリスト又は追跡を受けるメディアの所有者のプライバシーを損なうことなくいかにしてデータベース所有者のデータにアクセスするかに関する問題が提起される。別の問題は、データベース所有者により設定されたクッキーに視聴者測定エンティティがアクセスすることを妨げるインターネットプロトコルにより課せられた技術的制約がある中で、このデータにどのようにアクセスするかである。本明細書に開示した例では、ビーコン処理をパートナとなったデータベース所有者を包含するように且つこのようなパートナを中間のデータコレクタとして使用するように拡張している。例えば視聴者測定エンティティ及び／又はビーコン命令（例えば、Ｊａｖａ（登録商標）、ｊａｖａｓｃｒｉｐｔ（登録商標）、その他任意のコンピュータ言語又はスクリプト）は、クライアントブラウザをリダイレクトしこれにパートナデータベース所有者によるインプレッションのログ記録を要求させる。このようにして、パートナデータベース所有者にとってクライアントブラウザに対応する視聴者メンバが既知であれば、パートナデータベース所有者はこの視聴者メンバに対応する人口統計情報を提供することが可能である。このような例では、クライアントブラウザによってビーコン命令を埋め込まれたメディアがレンダリングされるたびにリダイレクトメッセージ授受が生じており、パートナデータベース所有者（複数可）に対するリダイレクトメッセージの数が莫大な数になることがある。インプレッション収集プロセスにおいて分散型人口統計を活用するように１つ又は複数のパートナデータベース所有者にリダイレクトするための例示の技法が、参照により全体が本明細書に組み込まれる２０１１年９月２１日に出願された「Ｍｅｔｈｏｄｓ  ａｎｄ  Ａｐｐａｒａｔｕｓ  ｔｏ  Ｄｅｔｅｒｍｉｎｅ  Ｉｍｐｒｅｓｓｉｏｎｓ  Ｕｓｉｎｇ  Ｄｉｓｔｒｉｂｕｔｅｄ  Ｄｅｍｏｇｒａｐｈｉｃ  Ｉｎｆｏｒｍａｔｉｏｎ」と題する国際ＰＣＴ出願第ＰＣＴ／ＵＳ２０１１／０５２６２３号に開示されている。さらに、インプレッションを収集すると共に１つ又は複数のパートナデータベース所有者に記憶された分散型人口統計を活用するための例示の技法が、参照により全体が本明細書に組み込まれる２０１１年１２月１９日に出願された「Ｍｅｔｈｏｄｓ  ａｎｄ  Ａｐｐａｒａｔｕｓ  ｔｏ  Ｄｅｔｅｒｍｉｎｅ  Ｍｅｄｉａ  Ｉｍｐｒｅｓｓｉｏｎｓ  Ｕｓｉｎｇ  Ｄｉｓｔｒｉｂｕｔｅｄ  Ｄｅｍｏｇｒａｐｈｉｃ  Ｉｎｆｏｒｍａｔｉｏｎ」と題する国際ＰＣＴ出願第ＰＣＴ／ＵＳ２０１１／０６５８８１号に開示されている。
【００３２】
[0032]本明細書に開示した例示の方法、装置及び／又は製品は、特定の視聴者メンバの視聴者測定エンティティ（ＡＭＥ）クッキーがクッキーの寿命中（例えば、クッキーが有効なものである間及び／又はクッキーがクライアントマシンで削除や置換されていない間）に一度パートナとなったデータベース所有者のクッキー（パートナクッキー）にマッピングされるようなクッキーマッピング技法を用いて視聴者露出データを収集する。このようにして、ＡＭＥに必要なのは、クライアントブラウザ内のＡＭＥクッキーにマッピングさせるパートナクッキーを決定するために特定のデータベース所有者に（クッキーの寿命中に）一度クライアントブラウザをリダイレクトするだけでよい。クッキーマッピングが完了となった後にＡＭＥは、１人又は複数人のパネリスト及び／又は非パネリスト視聴者メンバ（複数可）に対するメディア露出をクライアントブラウザを用いてＡＭＥクッキーに基づいてモニタリングすること及びＡＭＥ対パートナクッキーマッピングに基づいてパートナから視聴者メンバ（複数可）に関する人口統計情報を受け取ることが可能である。これによって、必要とされるデータベース所有者へのリダイレクトの回数が削減される（例えば、ＡＭＥ及びパートナクッキーの寿命や有効性の間に１回だけになる）。リダイレクトの回数を削減することによって、クライアントブラウザのパフォーマンスにマイナスの影響を及ぼすような中断回数の減少、干渉の低下及び／又はバックグラウンド処理の削減が生じるため、視聴者メンバに関する全体的なユーザ体験が改善される。ネットワークトラフィックも低減され、このためネットワークの輻輳及び遅延が低減されることによってネットワーク環境の全体効率が改善されることになる。さらに、データベース所有者により要求される処理量も低減される。さらに、データベース所有者と共有するデータ量（例えば、インプレッション数）も低減される。
【００３３】
[0033]ＡＭＥ対パートナクッキーマッピングを用いることによって視聴者測定エンティティは、ＡＭＥ対パートナクッキーマッピング内のそのＡＭＥクッキーに対してマッピングされたパートナクッキーに関してパートナとなったデータベース所有者に人口統計情報を要求することが可能である。これに応答してパートナとなったデータベース所有者は、そのログ及び人口統計情報を視聴者測定エンティティに提供し、次いで視聴者測定エンティティはタグ付けされたメディアにアクセスする者の人口統計を正確に識別する統計的レポートとするようにこの収集データを編集する。クライアントの識別は従来の視聴者測定パネル内に存在する者の数を遥かに超えるユーザの膨大なデータベースに対する参照により実施されるため、このプロセスから展開されたデータは極めて正確で信頼でき且つ詳細である。幾つかの例では、協調した視聴者測定の取り組みへの参加に同意することによって、パートナとなったデータベース所有者には他のパートナとなったデータベース所有者が収集した視聴者人口統計情報及び露出情報が提供される。このようにして、パートナとなったデータベース所有者は、自身の視聴者露出メトリックスを他のパートナとなったデータベース所有者により提供される情報によって補完することが可能である。
【００３４】
[0034]本明細書に開示した例示の方法、装置及び製品は、インターネット上の様々なデータベース（例えば、異なるウェブサイト所有者、サービス提供者、ストリーミング型メディア提供者、その他）にわたって分散されている人口統計情報を用いてメディアインプレッション（例えば、コンテンツインプレッション及び／又は広告インプレッション）、メディア露出（例えば、コンテンツ露出及び／又は広告露出）を決定するために使用することが可能である。本明細書に開示した例示の方法、装置及び製品は人口統計に対するインターネットメディア露出のより正確な相関を可能にするのみならず、これらはさらに視聴者測定エンティティ及び／又はレーティングエンティティのパネルに参加している者を越えて、Ｆａｃｅｂｏｏｋ、Ｔｗｉｔｔｅｒ［登録商標］、Ｇｏｏｇｌｅ、その他などのソーシャルメディアサイト及び／又はＹａｈｏｏ！、Aｍａｚｏｎ．ｃｏｍ、その他などのその他任意のインターネットサイトのデータベースといったその他のインターネットデータベースに登録した者にまでそのパネルの大きさ及び構成を有効に拡張している。この拡張によって、レーティングエンティティのメディアタグ付け機能やソーシャルメディア及び／又はその他のウェブサイトなどの非レーティングエンティティのデータベースの使用が有効に活用され、膨大で人口統計に正確なパネルが生成され、これによりコンテンツ、広告及び／又はプログラミングなどのインターネットメディアに対する露出に関する正確で高信頼性の測定が得られる。
【００３５】
[0035]従来、視聴者測定エンティティ（本明細書では、「レーティングエンティティ」とも呼ぶ）は、メディア（例えば、広告及びコンテンツプログラミング）に関する人口統計リーチ（ｒｅａｃｈ）を登録されたパネルメンバに基づいて決定する。すなわち視聴者測定エンティティは、モニタリングを受けることに同意した人をパネルに入会させる。入会の間に視聴者測定エンティティは、これらのパネリストに対するメディア露出（例えば、広告／コンテンツ露出）と様々な人口統計マーケットとの間で引き続いて相関がとれるように入会者から人口統計情報を受け取る。視聴者測定エンティティが人口統計ベースの視聴者測定データを収集するために自分自身のパネルメンバデータにのみ依拠するような従来の技法と異なり、本明細書に開示した例示の方法、装置及び／又は製品によれば視聴者測定エンティティは、ユーザ登録モデルに基づいて運営される他のエンティティによる人口統計情報の利用が可能となる。本明細書で使用する場合にユーザ登録モデルとは、ユーザがアカウントを作成し自分自身に関する人口統計関連の情報を提供することによってこれらのエンティティのサービスに加入するようなモデルのことである。データベース所有者の登録したユーザに関連付けられた人口統計情報を共有することによって視聴者測定エンティティは、自身のパネルデータを外部の供給源（例えば、データベース所有者）からの実質的に高信頼性の人口統計情報によって拡張又は補完し、これにより自身の人口統計ベースの視聴者測定のカバー域、正確性及び／又は完全性を拡張することが可能となる。このようなアクセスによればまた視聴者測定エンティティは、視聴者測定パネルに参加してはいないがデータベース所有者とで自身の人口統計を共有するような人をモニタリングすることが可能となる。一団の個人に関する人口統計を識別するデータベースを有する任意のエンティティが視聴者測定エンティティと協働することがある。このようなエンティティのことは、「データベース所有者」と呼ぶことがあり、またこのエンティティには、Ｆａｃｅｂｏｏｋ、Ｇｏｏｇｌｅ、Ｙａｈｏｏ！、ＭＳＮ、Ｔｗｉｔｔｅｒ、Ａｐｐｌｅ  ｉＴｕｎｅｓ、Ｅｘｐｅｒｉａｎ、などのエンティティを含むことができる。
【００３６】
[0036]本明細書に開示した例示の方法、装置及び／又は製品は、オンラインメディア露出メトリックスの開発のために視聴者測定エンティティ（例えば、広告、コンテンツ、及び／又はその他任意のメディアに対する視聴者露出の測定又は追跡に関心のある任意のエンティティ）がオンラインウェブサービス提供者などの任意の数のデータベース所有者と連携して実装することがある。データベース所有者／オンラインウェブサービス提供者は、ソーシャルネットワークサイト（例えば、Ｆａｃｅｂｏｏｋ、Ｔｗｉｔｔｅｒ、ＭｙＳｐａｃｅ、その他）、マルチサービスサイト（例えば、Ｙａｈｏｏ！、Ｇｏｏｇｌｅ、Ｅｘｐｅｒｉａｎ、その他）、オンライン小売店サイト（例えば、Aｍａｚｏｎ．ｃｏｍ、Ｂｕｙ．ｃｏｍ、その他）、及び／又はユーザ登録記録を維持するその他任意のウェブサイト（複数可）とすることができる。
【００３７】
[0037]測定されるメディア露出が正確に正しい人口統計に由来する可能性を高めるために、本明細書に開示した例示の方法、装置及び／又は製品は視聴者測定エンティティの記録内にある人口統計情報と、アカウントを所持するユーザの記録又はプロフィールを維持する１つ又は複数のデータベース所有者（例えば、ウェブサービス提供者）のところにある人口統計情報と、を用いる。このようにして、本明細書に開示した例示の方法、装置及び／又は製品は、レーティングエンティティ（例えば、メディア露出測定値及び／又は人口統計を収集するＴｈｅ  Ｎｉｅｌｓｅｎ  Ｃｏｍｐａｎｙ（米国Ｉｌｌｉｎｏｉｓ州Ｓｃｈａｕｍｂｕｒｇ市）などの視聴者測定会社）によって維持される人口統計情報を、１つ又は複数の異なるデータベース所有者（例えば、ウェブサービス提供者）からの人口統計情報によって補完するために使用することができる。
【００３８】
[0038]異質のデータ供給源からの人口統計情報（例えば、視聴者測定エンティティのパネル（複数可）からの高品質の人口統計情報及び／又はウェブサービス提供者の登録ユーザデータ）を用いた結果として、オンラインとオフラインの両方の広告キャンペーンについてのメトリックスに関する報告有効性が改善される。本明細書に開示した例示の技法は、オンライン登録データを用いてユーザの人口統計を識別し、且つサーバインプレッションカウント、タグ付け（ビーコン処理とも呼ぶ）及び／又はその他の技法を用いてこれらのユーザに由来するインプレッションの量を追跡する。ソーシャルネットワークサイト（例えば、Ｆａｃｅｂｏｏｋ）やマルチサービス提供者（例えば、Ｙａｈｏｏ！、Ｇｏｏｇｌｅ、Ｅｘｐｅｒｉａｎ、その他）などのオンラインウェブサービス提供者（本明細書では、まとめて且つ個別にデータベース所有者と呼ぶ）は、ユーザ登録プロセスを介して収集した詳細な人口統計情報（例えば、年齢、性別、地理的位置、人種、収入レベル、教育レベル、宗教、その他）を維持する。インプレッションは、対応するメディア（例えば、コンテンツ及び／又は広告）に対して露出されている家庭や個人に対応する。したがってインプレッションは、家庭や個人が広告やコンテンツ又は一群の広告やコンテンツに対して露出されていることを示している。インターネット広告ではインプレッションの量又はインプレッションカウントとは、ある広告又は広告キャンペーンがウェブ母集団によりアクセスを受けた総回数のことである（例えば、アクセス回数は、例えばポップアップブロッカーによって減少すること及び／又は、例えばローカルキャッシュメモリからの取り出すによって増加することがある）。
【００３９】
[0039]本明細書に開示した例示の方法、装置及び／又は製品はまた、サイドバイサイド方式でのＴＶ及びオンラインレーティングの報告（例えば、グロスレーティングポイント（ＧＲＰ：ｇｒｏｓｓ  ｒａｔｉｎｇ  ｐｏｉｎｔ）を用いること）が可能となる。例えば本明細書に開示した技法によれば広告者は、個別に及び／又はまとめてＴＶ及び／又はオンライン広告に到達したユニークな人又はユーザの数を報告することが可能となる。
【００４０】
[0040]本明細書に開示した例示の方法、装置及び／又は製品はまた、インターネット上の様々な箇所において人口統計データに対してマッピングされたインプレッションを収集する。例えば視聴者測定エンティティは、そのパネルに関してこうしたインプレッションデータを収集すると共に、加入者についてのインプレッションデータの収集のために１つ又は複数のオンライン人口統計所有者の協力を得る。収集したこのインプレッションデータを組合せることによって視聴者測定エンティティは次いで、異なる広告キャンペーンに関するＧＲＰメトリックスを作成することが可能である。これらのＧＲＰメトリックスは、到達を受けた特定の人口統計セグメント及び／又はマーケットと相関させるか、さもなければ関連付けさせることが可能である。
【００４１】
[0041]本明細書に開示した例示の方法は、視聴者測定エンティティに第１の要求を送るステップと、データベース所有者に対して、クライアントに対応するデータベース所有者クッキーへの視聴者測定エンティティクッキーのクッキーマッピングを視聴者測定エンティティへ送らせる第２の要求を送るステップと、を含む。幾つかの例示の方法は、データベース所有者クッキーを記憶するステップをさらに含む。幾つかの例では、第１の要求を視聴者測定エンティティに送るステップは、ウェブページにおけるビーコン命令の実行に応答させる。幾つかの例では第２の要求はさらにデータベース所有者に対して、クライアントに関連付けられた人口統計特性を視聴者測定エンティティへ送らせる。
【００４２】
[0042]幾つかの例示の方法は、視聴者測定エンティティに第３の要求を送るステップと、第２のデータベース所有者に対して、第２のデータベース所有者クッキーへの視聴者測定エンティティクッキーの第２のクッキーマッピングを視聴者測定エンティティへ送らせる第４の要求を送るステップと、をさらに含む。幾つかのこのような例では第２の要求はデータベース所有者に対して、クッキーマッピングを視聴者測定エンティティへ非同期式で送らせる。幾つかの例示の方法は、視聴者測定エンティティにクッキーマッピングを含む第３の要求を送るステップをさらに含む。
【００４３】
[0043]本明細書に開示した例示の装置は、通信インターフェースとウェブブラウザとを含む。ウェブブラウザは、通信インターフェースを介して視聴者測定エンティティに第１の要求を送ると共に、データベース所有者に対してクライアントに対応するデータベース所有者クッキーへの視聴者測定エンティティクッキーのクッキーマッピングを視聴者測定エンティティへ送らせる第２の要求を通信インターフェースを介して送る。幾つかの例ではウェブブラウザは、第１の要求において視聴者測定エンティティクッキーを送る。幾つかの例示の装置ではウェブブラウザは、ウェブページにおけるビーコン命令の実行に応答して第１の要求を視聴者測定エンティティに送る。
【００４４】
[0044]幾つかの例示の装置では第２の要求はさらにデータベース所有者に対して、クライアントに関連付けられた人口統計特性を視聴者測定エンティティへ送らせる。幾つかの例ではウェブブラウザは、視聴者測定エンティティに第３の要求を送ると共に、第２のデータベース所有者に対して、第２のデータベース所有者クッキーへの視聴者測定エンティティクッキーの第２のクッキーマッピングを視聴者測定エンティティへ送らせるための第４の要求を第２のデータベース所有者に送る。幾つかの例では第２の要求はデータベース所有者に対して、クッキーマッピングを視聴者測定エンティティへ非同期式で送らせる。幾つかの例ではウェブブラウザは、視聴者測定エンティティにクッキーマッピングを含む第３の要求を送る。
【００４５】
[0045]本明細書に開示した例示の方法は、要求への応答を送るステップであって、該応答は、視聴者測定エンティティによって使用される第１のクッキーの識別及びパートナデータベース所有者の指示を含むステップと、パートナデータベース所有者によって使用される第２のクッキーへの第１のクッキーのマッピング及びパートナデータベース所有者によって第２のクッキーに関連付けられた人口統計情報を受け取るステップと、を含む。幾つかの例示の方法ではマッピング及び人口統計情報は、パートナデータベース所有者から非同期式通信で受け取られる。幾つかの例では応答は、クライアントデバイスに対してパートナデータベース所有者へ要求を送らせるためのリダイレクトメッセージを含む。
【００４６】
[0046]幾つかの例示の方法では、マッピングが第１の時点で受け取られ、且つ人口統計情報が第１の時点後の第２の時点で受け取られる。幾つかの例示の方法は、ビーコン要求の発生元のウェブサイトに基づいてデータベース所有者リストからデータベース所有者を選択するステップをさらに含む。幾つかの例では、データベース所有者を選択するこのステップは、ウェブサイトに関連付けされる予想される人口統計グループに関してデータベース所有者によって提供される人口統計情報の品質を決定するサブステップを含む。幾つかの例示の方法は、そのビーコン要求が第１のクッキーを含むかどうかを決定し、ビーコン要求が第１のクッキーを含まないときに第１のクッキーを作成するステップをさらに含む。
【００４７】
[0047]本明細書に開示した例示の装置は、要求への応答を送るためのリダイレクト器であって、該応答は、視聴者測定エンティティによって使用される第１のクッキーの識別及びパートナデータベース所有者の指示を含む、リダイレクト器と、パートナデータベース所有者によって使用される第２のクッキーへの第１のクッキーのマッピング及びパートナデータベース所有者によって第２のクッキーに関連付けられた人口統計情報を受け取るための通信インターフェースと、を含む。幾つかの例示の装置では通信インターフェースは、このマッピング及び人口統計情報をパートナデータベース所有者から非同期式通信で受け取る。
【００４８】
[0048]幾つかの例ではその応答は、クライアントデバイスに対してパートナデータベース所有者へ要求を送らせるリダイレクトメッセージを含む。幾つかの例では通信インターフェースは、第１の時点でマッピングを受け取ると共に、第１の時点後の第２の時点で人口統計情報を受け取る。幾つかの例示の装置は、要求の発生元のウェブサイトに基づいてデータベース所有者リストからデータベース所有者を選択するためのパートナ選択器をさらに含む。幾つかの例ではパートナ選択器は、ウェブサイトに関連付けられた予想される人口統計グループに関してデータベース所有者によって提供される人口統計情報の品質の決定することを含むデータベース所有者の選択を行う。幾つかの例示の装置はクッキー作成器をさらに含み、リダイレクト器は要求が第１のクッキーを含むかどうかを決定し、且つ要求が第１のクッキーを含まないときにクッキー作成器は第１のクッキーを作成する。
【００４９】
[0049]本明細書に開示した例示の方法は、クライアントデバイスから視聴者測定エンティティクッキー識別子を含む第１の要求を受け取るステップと、クライアントに関連付けられたデータベース所有者クッキーへの視聴者測定エンティティクッキーのクッキーマッピングを決定するステップと、を含む。幾つかの例示の方法は、クライアントに対してクッキーマッピングを視聴者測定エンティティへ送らせるためのリダイレクトメッセージを送るステップをさらに含む。幾つかのこのような例ではリダイレクトメッセージは、データベース所有者クッキー識別子と、視聴者測定エンティティクッキー識別子と、データベース所有者クッキー識別子と視聴者測定エンティティクッキー識別子の間の関連付けに関する指示と、を含む。
【００５０】
[0050]幾つかの例示の方法は、視聴者測定エンティティにクッキーマッピングを含むメッセージを送るステップをさらに含む。幾つかのこのような例ではそのメッセージは、第２のクライアントデバイスに関する第２の視聴者測定エンティティクッキー識別子と第２のクライアントデバイスに関連付けられた第２のデータベース所有者クッキーとの間の第２のクッキーマッピングをさらに含む。
【００５１】
[0051]本明細書に開示した例示の方法は、クライアントデバイスから視聴者測定エンティティクッキー識別子を含む第１の要求を受け取るステップと、データベース所有者クッキーとクライアントに関連付けられた視聴者測定クッキーの間の関連付けを含むクッキーマッピングをクッキーに関連付けられた視聴者測定エンティティに提供するステップと、を含む。幾つかの例では、クッキーマッピングを提供するこのステップは、クライアントに対してクッキーマッピングを視聴者測定エンティティへ送らせるためのリダイレクトメッセージを送るサブステップを含む。幾つかのこのような例ではリダイレクトメッセージは、データベース所有者クッキー識別子と、視聴者測定エンティティクッキー識別子と、データベース所有者クッキー識別子と視聴者測定エンティティクッキー識別子の間の関連付けに関する指示と、を含む。
【００５２】
[0052]幾つかの例示の方法では、クッキーマッピングを提供するこのステップは、視聴者測定エンティティにクッキーマッピングを含むメッセージを送るサブステップを含む。幾つかのこのような例ではそのメッセージは、第２のクライアントデバイスに関する第２の視聴者測定エンティティクッキー識別子と第２のクライアントデバイスに関連付けられた第２のデータベース所有者クッキーとの間の第２のクッキーマッピングをさらに含む。
【００５３】
[0053]本明細書に開示した例示の装置は、クライアントデバイスから視聴者測定エンティティクッキー識別子を含む第１の要求を受け取るための通信インターフェースと、クライアントに関連付けられたデータベース所有者クッキーへの視聴者測定エンティティクッキーのクッキーマッピングを決定するためのクッキーマッピング器と、を含む。幾つかの例示の装置では通信インターフェースは、データベース所有者クッキーとクライアントに関連付けられた視聴者測定クッキーとの間の関連付けを含むクッキーマッピングをクッキーに関連付けられた視聴者測定エンティティに提供する。
【００５４】
[0054]幾つかの例では通信インターフェースは、クライアントに対してクッキーマッピングを視聴者測定エンティティへ送らせるためのリダイレクトメッセージを送ることによってクッキーマッピングを提供する。幾つかのこのような例ではそのリダイレクトメッセージは、データベース所有者クッキー識別子と、視聴者測定エンティティクッキー識別子と、データベース所有者クッキー識別子と視聴者測定エンティティクッキー識別子の間の関連付けに関する指示と、を含む。幾つかの例示の装置では通信インターフェースは、視聴者測定エンティティにクッキーマッピングを含むメッセージを送ることによってクッキーマッピングを提供する。幾つかのこのような例ではそのメッセージは、第２のクライアントデバイスに関する第２の視聴者測定エンティティクッキー識別子と第２のクライアントデバイスに関連付けられた第２のデータベース所有者クッキーとの間の第２のクッキーマッピングをさらに含む。
【００５５】
[0055]本明細書に開示した例示の装置は、クライアントデバイスから視聴者測定エンティティクッキー識別子を含む第１の要求を受け取ると共に、クッキーに関連付けられた視聴者測定エンティティへ、データベース所有者クッキーとクライアントに関連付けられた視聴者測定クッキーの間の関連付けを含むクッキーマッピングを含むメッセージを提供するための通信インターフェースと、命令を実行するためのプロセッサであって、この命令がプロセッサにメッセージを作成させるプロセッサと、を含む。
【００５６】
[0056]本明細書に開示した例示の方法は、命令実行の際にクライアントに対してプロセスを開始させる命令をウェブサイト内に含めるように提供するステップであってこのプロセスが、視聴者測定エンティティに第１の要求を送るサブステップと、データベース所有者に対して、クライアントに対応するデータベース所有者クッキーへの視聴者測定エンティティクッキーのクッキーマッピングを視聴者測定エンティティへ送らせるための第２の要求を送るサブステップと、を含む提供するステップを含む。幾つかの例示の方法は、ウェブサイトに関連付けられた情報を受け取ると共に、この情報に基づいて命令を作成するステップをさらに含む。幾つかの例ではそのプロセスは、視聴者測定エンティティから視聴者測定クッキーの識別子を含むリダイレクトメッセージを受け取るサブステップをさらに含む。
【００５７】
[0057]本明細書に開示した例示の装置は、通信インターフェースと、ウェブサイト内に含ませるための命令を作成すると共に通信インターフェースに対してこの命令をウェブサイトに関連付けられたウェブサーバへ送らせるためのプロセッサと、を含んでおり、この命令は命令実行の際にクライアントに対して、視聴者測定エンティティに第１の要求を送るサブステップと、データベース所有者に対して、クライアントに対応するデータベース所有者クッキーへの視聴者測定エンティティクッキーのクッキーマッピングを視聴者測定エンティティへ送らせるための第２の要求を送るサブステップと、を含むプロセスを開始させる。幾つかの例では通信インターフェースは、ウェブサイトに関連付けられた情報を受け取り、この情報に基づいてプロセッサは命令を作成する。幾つかの例示の装置ではそのプロセスは、視聴者測定エンティティから視聴者測定クッキーの識別子を含むリダイレクトメッセージを受け取るサブステップをさらに含む。
【００５８】
[0058]図１は、ＡＭＥ１０２からパートナデータベース所有者（ＤＰ）１０４へのリダイレクトに基づいて視聴者測定エンティティ（ＡＭＥ）対パートナクッキーマッピングを作成するための例示のシステム１００を示している。図２は、ＡＭＥ１０２からパートナＤＰ１０４へのリダイレクトに基づいてＡＭＥ対パートナクッキーマッピングを作成するための図１の例示のシステム１００に対応する例示のメッセージ授受流れ図２００を示している。
【００５９】
[0059]図１の例ではウェブサーバ１０６は、１つ又は複数のウェブサイトへのアクセスを提供する。例示のシステム１００は、ウェブサーバ１０６によって配給されるウェブサイトにアクセスを要求するウェブブラウザ（例えば、例示のウェブブラウザ１１０）に関するＡＭＥ対パートナクッキーマッピングを決定する。例証のために例示のウェブブラウザ１１０を示しているが、図１の例示のシステム１００はウェブブラウザ１１０及び／又はその他のウェブブラウザについて図１に示したプロセスを重複させる及び／又は反復させることができる。図１の例示のウェブブラウザ１１０は、あるコンピューティングデバイス（例えば、図１４の処理プラットフォーム１４００などのパーソナルコンピュータ、モバイルデバイス）上で実行されるウェブブラウザコンピュータアプリケーションの一具体例である。しかし、図１の例示のシステム１００の例示の実装形態では、こうしたブラウザを多数必要とするのが典型的である。
【００６０】
[0060]図１の例示のウェブサーバ１０６から利用可能な例示のウェブページはビーコン命令でタグ付けされる。幾つかの例ではＡＭＥ１０２は、ウェブサーバ１０６によって配給されるウェブサイト又は要素又はウェブサイト（例えば、メディア、広告、及び／又はウェブサイトのその他の要素）内に含ませるためのタグ又はビーコン命令をウェブサーバ１０６に提供する。提供されたこのビーコン命令によって、タグ付けされた指定のページに基づいた及び／又はウェブページ上に存在する任意の引き数及び／又はその他の変数に基づいたウェブサーバによる修正に対応すること及び／又は修正を要求することができる。
【００６１】
[0061]例示のブラウザ１１０がウェブサーバ１０６にウェブページを要求したとき（例えば、図１の矢印（１））、例示のウェブサーバ１０６はビーコン命令を付けてページコンテンツを返す（例えば、図１の矢印（２））。図１の例示のビーコン命令は、ＡＭＥ１０２によって提供される及び／又はＡＭＥ１０２によってウェブサーバ１０６に提供される命令から修正され、またＡＭＥサーバ１１４を指し示すＵＲＬ１１２を含むと共に、とりわけウェブサーバ１０６に要求したページの提供に由来したメディア表現及び／又は露出とビーコン命令を提供したウェブサーバ又は発行者（例えば、ウェブサーバ１０６）の指示（例えば、ＵＲＬ１１２内の太字箇所）とを指定する（例えば、図１の矢印（３））。幾つかの例ではウェブサーバ１０６は、パートナＤＰ１０４又は別のデータベース所有者による制御を受ける。幾つかのこのような例ではウェブサーバ１０６は、ＵＲＬ１１２内にパートナＤＰ１０４の識別子やその他の指示を含む。ブラウザ１１０がＡＭＥ１０２に対応するクッキー（例えば、ＡＭＥクッキー）を以前に記憶している場合（且つ、そのクッキーが期限切れでない場合）、例示のブラウザ１１０はビーコン要求付きのＡＭＥクッキーを提供する。
【００６２】
[0062]例示のＡＭＥサーバ１１４は、ビーコン要求リダイレクト器１２０と、クッキー作成器１２２と、パートナ選択器１２４と、ビーコン命令作成器１２６と、通信インターフェース１２８と、を含む。ＡＭＥサーバ１１４がブラウザ１１０からビーコン要求を受け取ると、例示のビーコン要求リダイレクト器１２０は、そのビーコン要求がＡＭＥクッキーを含むかどうかを決定する。ビーコン要求がＡＭＥクッキーを含まない場合、例示のクッキー作成器１２２はブラウザ１１０に関するＡＭＥクッキーを作成する。ビーコン要求がＡＭＥクッキーを含む場合、例示のビーコン要求リダイレクト器１２０は、そのＡＭＥクッキーがＤＰ（例えば、パートナＤＰ１０４）に関するＤＰクッキー値に関連付けされる（例えば、マッピングされる）かどうかを決定する。ＤＰクッキーが存在する場合、例示のＡＭＥサーバ１１４はそのビーコンをブラウザ１１０と関連付けて記憶する。ＡＭＥサーバ１１４はビーコン要求に応答することも応答しないこともある。図示した例ではＡＭＥサーバ１１４は、タグ付けされたウェブページ又は広告の表示に影響を及ぼすことを意図しない何らかのもの（例えば、プレースホルダーなど透明な１×１画素画像やその他の要求されたメディア）によってビーコン要求に応答する。幾つかの例ではそのビーコン要求は応答を誘導していない。
【００６３】
[0063]図示した例のＡＭＥサーバ１１４がブラウザ１１０に関するＡＭＥクッキーを作成した場合、又は既存のＡＭＥクッキーに関連付けられた（例えば、マッピングされた）ブラウザ１１０に関するＤＰクッキー値が存在しない場合（例えば、タグ付けされたウェブページ又はタグ付けされた広告がＤＰサーバからでない場合）、例示のビーコン要求リダイレクト器１２０はビーコン要求に対する応答のＵＲＬパラメータ１１６にＡＭＥクッキーを追加する。例示のビーコン要求リダイレクト器１２０は、ビーコン要求に応答してブラウザ１１０にリダイレクト応答（例えば、ＨＴＴＰ「３０２  Ｆｏｕｎｄ」リダイレクトメッセージ）を送る（例えば、図１の矢印（４））。図１の例示のＵＲＬパラメータ１１６は、パートナＤＰサーバ１０８のアドレス（例えば、図１のＵＲＬ１１６内にある太字にし且つ下線を付けたテキスト）と、パートナＤＰ１０４のクッキーにマッピングさせるための識別子又はＡＭＥクッキーの値（例えば、太字にしているが下線付けしていないテキスト）と、を含む。例示のＵＲＬパラメータ１１６は、パートナＤＰサーバ１０８のアドレスをさらに含む。例示のパートナ選択器１２４は、リダイレクトメッセージを導く先のパートナＤＰサーバを選択する。例えばパートナ選択器１２４は、例えばウェブサーバ１０６によって配給されるメディア（例えば、タグ付けされたメディア）に関する予想される人口統計に基づいて（例えば、協働するパートナＤＰのリストから）複数のパートナＤＰのうちの１つ又は幾つかを選択することがある。他の幾つかの例ではパートナ選択器１２４は、デフォルトのパートナＤＰと、１つ又は複数のバックアップパートナＤＰと、を選択する。
【００６４】
[0064]図１の例示のビーコン命令作成器１２６は、例示のウェブサーバ１０６及び／又はウェブサーバ１０６が配給しようとするウェブサイトに関連付けられた情報を受け取る。この情報は、ウェブサーバ１０６及び／又はメディアのアドレス及び／又はＵＲＬレンジを含むことがある。この情報に基づいて例示のビーコン命令作成器１２６は、ウェブサーバ１０６によって配給されるメディアにタグ付けするために例示のウェブサーバ１０６に使用させるビーコン命令を作成する。他の幾つかの例ではビーコン命令作成器１２６は、配給するメディアに基づいてウェブサーバ１０６により修正し得るような包括的命令をウェブサーバ１０６に提供する。
【００６５】
[0065]例示の通信インターフェース１２８は、例示のＡＭＥサーバ１１４を例示のブラウザ１１０に（例えば、インターネットなどのネットワークを介して）通信可能に結合させる。例示の通信インターフェース１２８は、ビーコン要求やリダイレクト応答などの通信を送信及び受信するためのハードウェアとソフトウェアの組合せ及び／又はファームウェアを含む。幾つかの例では通信インターフェース１２８は、複数のＡＭＥサーバ１１４の間の多数の通信を分割するための負荷バランス調整機能を含む。
【００６６】
[0066]例示のブラウザ１１０は、ビーコン要求に対するリダイレクト応答を受け取ると共に、ＵＲＬ１１６に基づいて（例えば、これを用いて）パートナＤＰサーバ１０８対する要求を行う（例えば、図１の矢印（５））。ブラウザ１１０がパートナＤＰ１０４のドメインに関するクッキーを有する場合、例示のブラウザ１１０は要求と一緒にクッキーを提供する。図１の例示のパートナＤＰサーバ１０８は、クッキーマッピング器１３０及び通信インターフェース１３２を含む。パートナＤＰサーバ１０８は、クッキーがブラウザ１１０によって提供されたかどうかを決定する。ブラウザ１１０が要求付きのクッキーを提供する場合、例示のパートナＤＰサーバ１０８は（例えば、クッキーマッピング器１３０を介して）そのクッキーを認識すると共に、ＵＲＬ１１６で識別されたＡＭＥクッキーに対してパートナＤＰクッキーをマッピングする（例えば、パートナＤＰクッキーとＡＭＥクッキーの間の関連付けを記憶する）。例示のパートナＤＰサーバ１０８は、ＡＭＥクッキーとブラウザ１１０に関するパートナＤＰクッキーとの間のマッピングを示しているメッセージを例示のＡＭＥサーバ１１４に送る（例えば、図１の矢印（６））。この例示のメッセージは、マッピングを提供するＵＲＬ１１８（例えば、太字にしたテキスト）を含む。
【００６７】
[0067]例示のクッキーマッピング器１３０は追加として又は代替として、ＡＭＥサーバ１１４内に実装されることがある。以下で説明することにするが幾つかの例ではＡＭＥサーバは、ＡＭＥクッキーとパートナＤＰクッキーの間のマッピングをＡＭＥクッキー、パートナＤＰユーザ識別子及び／又はブラウザ１１０に関連付けられたパートナＤＰクッキーに基づいて実行する。
【００６８】
[0068]例示の通信インターフェース３１２は、例示のパートナＤＰサーバ１０８を例示のブラウザ１１０に（例えば、インターネットなどのネットワークを介して）通信可能に結合させる。例示の通信インターフェース１３２は、ビーコンリダイレクト、クッキーマッピング及び人口統計情報などの通信を送信及び受信するためのハードウェアとソフトウェアの組合せ及び／又はファームウェアを含む。幾つかの例では通信インターフェース１３２は、複数のパートナＤＰサーバ１０８の間の多数の通信を分割するための負荷バランス調整機能を含む。
【００６９】
[0069]図１の例ではマッピングＵＲＬ１１８は、パートナＤＰ１０４にとって既知であるブラウザに関連付けられた人口統計情報（例えば、ブラウザのユーザに関する人口統計情報）をさらに含む。例えばブラウザ１１０のユーザは、パートナＤＰ１０４によって提供されるサービスの使用と引き換えに人口統計情報をパートナＤＰ１０４に提供した可能性がある。幾つかの例ではマッピングＵＲＬ１１８は、インプレッションデータに対するＡＭＥクッキー及び／又はパートナＤＰクッキーのマッピングを容易にするためにマッピングのタイムスタンプ及び／又はマッピングに至る別の事象のタイムスタンプをさらに含む。他の幾つかの例ではＡＭＥサーバ１１４は、マッピングプロセス中に送信及び受信したＨＴＴＰメッセージから導出されたタイムスタンプを記憶する。幾つかの例では、インプレッションデータに対するＡＭＥクッキー及び／又はパートナＤＰクッキーのマッチングについてタイムスタンプを必要としないようにＡＭＥクッキーを一意のものとする。
【００７０】
[0070]図１の例示のＡＭＥサーバ１１４は、ＡＭＥクッキーとパートナＤＰクッキーの間のマッピングを記憶している。図１の例示のＡＭＥサーバ１１４は、パートナＤＰ（存在する場合）から受け取ったブラウザ１１０に関する人口統計情報をさらに記憶している。同じＡＭＥクッキーに関してブラウザ１１０から受け取った後続のビーコン要求について、例示のＡＭＥサーバ１１４はビーコン要求（及び、関連するページ参照及び／又は露出情報）を記憶しており、ブラウザ１１０をリダイレクトせず、これによりＤＰへのトラフィックが減少し且つまたＤＰに提供されるデータ（例えば、インプレッションカウント）も減少する。
【００７１】
[0071]図３は、ＡＭＥからパートナＤＰ１へのリダイレクトに基づいてＡＭＥ対第１のパートナＤＰのクッキーマッピングを作成するため及び第２のパートナＤＰ（パートナＤＰ２）にパートナＤＰ２の登録ユーザを識別するための要求をさらに送るための別の例示のシステム３００を示している。図４は、ＡＭＥからパートナＤＰ１へのリダイレクトに基づいてＡＭＥ対パートナＤＰ１クッキーマッピングを作成するため及び第２のパートナＤＰ（パートナＤＰ２）にパートナＤＰ２の登録ユーザを識別するための要求をさらに送るための図３の例示のシステムに対応する例示のメッセージ授受流れ図を示している。図３の例示のシステム３００は、ＡＭＥ１０２と、第１のパートナＤＰ１０４と、ウェブサーバ１０６と、第１のパートナＤＰサーバ（複数可）１０８と、例示のブラウザ１１０と、図１のＡＭＥサーバ（複数可）１１４と、を含む。図３の例示のシステム３００は、１つ又は複数の第２のパートナＤＰサーバ（複数可）３０４を含む第２のパートナＤＰ３０２をさらに含む。
【００７２】
[0072]図１の矢印（１）及び（２）と同様の方式により例示のブラウザ１１０は、第１のウェブサーバ１０６にウェブページを要求すると共に、ビーコン命令付きのメディア（例えば、ウェブページ、広告）を受け取る。ウェブサーバ１０６に対する要求は、タグ付けされた任意のメディア（例えば、ウェブページ、広告などウェブページの一部）に関するものとすることが可能である。ウェブページ自体にタグ付けすることが可能であり、及び／又はページ内の広告やその他の部分にタグ付けすることが可能である。この例示のビーコン命令は、ビーコン命令の発行元のウェブサーバ、発行者及び／又はウェブサイト所有者を指定するＵＲＬ３０６（例えば、太字フォント）を含む。図１の矢印（３）と同様の方式により例示のブラウザ１１０は、ビーコン命令を受け取ると例示のＡＭＥサーバ１１４にビーコン要求を出す。ブラウザ１１０がＡＭＥ１０２に対応するクッキーを以前に記憶している場合（且つ、そのクッキーが期限切れでない場合）、例示のブラウザ１１０はビーコン要求付きのＡＭＥクッキーを提供する。図１及び３の例では、ブラウザ１１０が期限切れのＡＭＥクッキー（又は、期限切れの任意のクッキー）は送らない（例えば、削除する）ため、ＡＭＥサーバ１１４はＡＭＥクッキーが期限切れであるかどうかを決定する必要がない。
【００７３】
[0073]ＡＭＥサーバ１１４がブラウザ１１０からビーコン要求を受け取ると、例示のＡＭＥサーバ１１４はそのビーコン要求がＡＭＥクッキーを含むかどうかを決定する。ビーコン要求がＡＭＥクッキーを含まない場合、例示のＡＭＥサーバ１１４はブラウザ１１０に関するＡＭＥクッキーを作成する。ＡＭＥクッキーは、ある時間期間（ＡＭＥクッキーで設定されることがあり、ブラウザ１１０によって設定されることがあり、及び／又はクッキーの寿命期間に対する統一的な上限とすることがある）の後に期限切れとなる。ＡＭＥクッキーが期限切れとなった場合、例示のブラウザ１１０はそのＡＭＥクッキーを棄却する（例えば、記憶から削除する）。ブラウザ１１０からの次のビーコン要求はＡＭＥクッキーを含んでおらず、このためＡＭＥサーバ１１４はブラウザ１１０を未知のものとして扱うと共に新たなＡＭＥクッキーを供給する。ビーコン要求がＡＭＥクッキーを含む場合、例示のＡＭＥサーバ１１４はそのＡＭＥクッキーがＵＲＬ１１２内の指定のＤＰ（例えば、パートナＤＰ１０４）に関するＤＰクッキー値に関連付けされる（例えば、マッピングされる）かどうかを決定する。ＤＰクッキーが存在する場合に例示のＡＭＥサーバ１１４は、そのビーコンをブラウザ１１０と関連付けて記憶する。
【００７４】
[0074]ＡＭＥサーバ１１４がブラウザ１１０に関するＡＭＥクッキーを作成する場合、又は既存のＡＭＥクッキーに関連付けられた（例えば、マッピングされた）ブラウザ１１０に関するＤＰクッキー値が存在しない場合、例示のＡＭＥサーバ１１４はビーコン要求に対するリダイレクト応答のＵＲＬパラメータ３０８にＡＭＥクッキーを追加する。次いで例示のＡＭＥサーバ１１４は、ビーコン要求に応答してブラウザ１１０にリダイレクト応答（例えば、ＨＴＴＰ「３０２  Ｆｏｕｎｄ」リダイレクトメッセージ）を送る（例えば、図１の矢印（４）と同様の方式による）。図３の例示のＵＲＬパラメータ３０８は、第１のパートナＤＰサーバ１０８のアドレス（例えば、太字にしているが下線付けしていないテキスト）と、第１のパートナＤＰ１０４のクッキーにマッピングさせる識別子又はＡＭＥクッキーの値（例えば、太字にし且つ下線を付けたテキスト）と、を含む。ブラウザ１１０が第１のパートナＤＰ１０４のドメインに対応するクッキーを以前に記憶している場合、例示のブラウザ１１０は第１のパートナＤＰサーバ１０８に対する要求を伴う第１のパートナＤＰクッキーを含む。
【００７５】
[0075]例示の第１のパートナＤＰサーバ１０８は、その要求が第１のＤＰクッキーを含むかどうかを決定する。その要求が第１のパートナＤＰクッキーを含む場合に例示の第１のパートナＤＰサーバ１０８は、ＡＭＥサーバ１１４に対してＵＲＬ３１０を含むメッセージを送る。ＵＲＬ３１０は、ＡＭＥクッキーへの第１のパートナＤＰクッキーのマッピング（例えば、太字にしたテキスト）を含む。幾つかの例では第１のパートナＤＰサーバ１０８は、ＡＭＥサーバ１１４に対する後続のマッピング及び送信のために（例えば、バッチとして）第１のパートナＤＰクッキーを記憶する。周期的又は非周期的な間隔で第１のパートナＤＰサーバ１０８はＡＭＥクッキーへの第１のパートナＤＰクッキーのそれぞれのマッピングを示しているＵＲＬ（例えば、ＵＲＬ３１０）を含む複数のメッセージを送る。
【００７６】
[0076]第１のパートナＤＰ１０４（例えば、ブラウザがウェブページを要求した先のパートナＤＰ）に関するパートナＤＰクッキーに対してＡＭＥクッキーをマッピングさせることに加えて或いはその代替として例示のシステム３００は、ブラウザ１１０に関するＡＭＥクッキーを第２のパートナＤＰ３０２に関するパートナＤＰクッキーに対してマッピングする。第１のパートナＤＰ１０４以外に、例示の第２のパートナＤＰ３０２がブラウザ１１０のユーザに関する追加情報又は代替情報を有することがある。幾つかの例では、第２のパートナＤＰ３０２がＡＭＥ１０２に関する有用な人口統計情報やその他の情報を有している一方で、第１のパートナＤＰ１０４がブラウザ１１０に関連付けられた情報を全く有しないことがある。
【００７７】
[0077]幾つかの例ではシステム３００は、ＡＭＥクッキーを第２のパートナＤＰクッキーに対してマッピングし、第２のパートナＤＰ３０２によるメディア（例えば、広告）キャンペーンについてのインプレッションのログ記録を可能にする。例示の第２のパートナＤＰ３０２は、第２のパートナＤＰクッキーを介して例示のＡＭＥ１０２まで追跡されるインプレッション情報を、ブラウザ１１０に関する例示のＡＭＥクッキーへの第２のパートナＤＰクッキーのマッピングと一緒に提供する。幾つかの例では第２のパートナＤＰ３０２は、インプレッションに関連付けられた人口統計情報もさらに提供する。
【００７８】
[0078]ブラウザ１１０に関するＡＭＥクッキーを第２のパートナＤＰクッキーに対してマッピングするために例示のＡＭＥサーバ１１４は、ＵＲＬ３１２を含むビーコン要求に対するリダイレクト応答を第２のパートナＤＰ３０２（例えば、第２のパートナＤＰサーバ３０４）に送る。例えばタグ付けされたメディアは、ＡＭＥ１０２による複数のパートナＤＰへのブラウザ１１０のリダイレクトを可能にさせるために複数のビーコンを含むことがある。追加として又は代替として、タグ付けされたメディアがビーコン要求を１つだけ発行すると共に、ＡＭＥサーバ１１４は複数のリダイレクトメッセージによって応答することがある。追加として又は代替として各ＤＰ（例えば、第１のパートナＤＰ１０４、第２のパートナＤＰ３０４、その他）は、リダイレクトを別のＤＰに返すことによってリダイレクトにより生じた要求に応答することがある。ＡＭＥサーバ１１４が複数のリダイレクトを送るような例では、ＵＲＬ３１０が指定するのが第１のパートナＤＰサーバ（複数可）１０８のアドレスではなく第２のパートナＤＰサーバ（複数可）３０４のアドレスであることを除けば図３の例示のＵＲＬ３１２はＵＲＬ３０８と同様である。
【００７９】
[0079]図示した例の例示のＵＲＬ３１０はＡＭＥクッキー値を含む。例示のブラウザ１１０は、リダイレクト応答を受け取ると共に例示の第２のパートナＤＰサーバ３０４に要求を送る。ブラウザ１１０が第２のパートナＤＰサーバ３０４に関するクッキーを有する場合、ブラウザ１１０は要求の中にクッキーを含める。例示の第２のパートナＤＰサーバ３０４は、ブラウザ１１０からの要求がクッキーを含むかどうかを決定する。要求がクッキーを含む場合、例示の第２のパートナＤＰサーバ３０４はクッキーからブラウザ１１０又はブラウザに関連付けられたユーザを識別する値（例えば、ユーザを一意に識別する値）を読み取る。
【００８０】
[0080]例示の第１のパートナＤＰ１０４の場合と異なり図３に示した例の例示の第２のパートナＤＰ３０２は、マッピングの作成直後ではなく間隔をおいてＡＭＥクッキーを第２のパートナＤＰクッキーマッピングに提供する。例えば第２のパートナＤＰ３０２は、第２のパートナＤＰクッキーとマッピングされたＡＭＥクッキーとの間のマッピングをＡＭＥサーバ１１４に後で（例えば、バッチとして）送信するために記憶している。周期的又は非周期的な間隔で第２のパートナＤＰサーバ３０４は、ＡＭＥクッキーへの第２のパートナＤＰクッキーのそれぞれのマッピングを含む１つ又は複数の複数のメッセージを送る。例示の第２のパートナＤＰサーバ３０４は、１つ又は複数のデータファイル（例えば、アレイやその他のデータ構造）の形で１つのメッセージを介して複数のマッピングからなる組を送ることがある。追加として又は代替として第２のパートナＤＰサーバ３０４は、各メッセージが１つのマッピング（例えば、マッピング情報を包含したＵＲＬ）を含むような複数のメッセージ（例えば、ダミーのＨＴＴＰ要求）を送ることがある。例示の第２のパートナＤＰサーバ３０４がユーザを（例えば、クッキー内のユーザ識別子を介して）識別した場合、例示の第２のパートナＤＰサーバ３０４は例示のＡＭＥサーバ１１４にマッピングメッセージやその他の肯定応答メッセージ（例えば、２００  ＯＫ  ＨＴＴＰ応答メッセージ）を送る。
【００８１】
[0081]図１〜４、５Ｂ、６Ｂ、７Ｂ及び／又は８Ｂの例は、図１及び３の例示のシステム１００、３００の１つ又は複数のサーバ又はコンピュータによって実行されるマシン読み取り可能命令を用いて実行し得る動作との連携を示している。
【００８２】
[0082]図５Ａ、６Ａ、７Ａ及び８Ａの例では、ＡＭＥにより実行されるとして示している動作は、例えば図１〜４、５Ｂ、６Ｂ、７Ｂ及び／又は８ＢのＡＭＥサーバ（複数可）１１４によって実装することができ、またパートナＤＰにより実行されるとして示している動作は、例えば図１〜４、５Ｂ、６Ｂ、７Ｂ及び／又は８ＢのパートナＤＰサーバ１０８、３０４によって実行することができる。図５Ａの例では、第１のデータベース所有者（ＤＰ１）はクッキーレベルデータを提供することに同意しており、また第２のデータベース所有者（ＤＰ２）はクッキーレベルデータの提供は拒否するがそのクッキーレベルデータの総体をバケット又はカテゴリの形で（例えば、男性で年齢３０〜４０歳のように）表している要約データの提供には同意する。
【００８３】
[0083]図５Ａは、第１及び第２のパートナデータベース所有者から分散型人口統計情報を収集するために実行させ得る例示のマシン読み取り可能命令５００を表した流れ図である。図５Ｂは、図５Ａの命令５００を実装する図１のシステム１００の例示のプロセスを示している。
【００８４】
[0084]ブロック５１０においてブラウザがメディアにアクセスすると（例えば、図５Ｂの矢印（１））、メディア内に含まれた及び／又はそのメディアに関連付けされビーコン命令（例えば、図５Ｂの矢印（２））はブラウザに対してＡＭＥにビーコン要求を送ることによってインプレッションを登録させる（例えば、図５Ｂの矢印（３））。処理ブロック５１２の動作においてＡＭＥは、ブラウザに関するオンライン活動データを収集する。例えばＡＭＥは、ブラウザからビーコン要求を受け取り（ブロック５１２ａ）、且つビーコン要求内に包含されるかさもなければビーコン要求に関連付けられたインプレッションデータを収集及び／又は記憶する（ブロック５１２ｂ）。ビーコン要求に関連付けられたデータはブラウザに関連付けられたＡＭＥクッキーを含むこと、及び／又はビーコン要求をトリガーしたメディアを識別することがある。ＡＭＥは、収集したインプレッションデータをブラウザから受け取った対応するＡＭＥクッキーに基づいて処理し、例えばウェブページ参照とメディア露出とを相関させる（ブロック５１２ｃ）。
【００８５】
[0085]ブロック５１４においてＡＭＥは、どのパートナＤＰ（複数可）にブラウザをリダイレクトさせるかを決定する。例示のＡＭＥは、パートナＤＰ１、パートナＤＰ２及び／又は１つ又は複数の追加のパートナＤＰを選択することがある。例えばＡＭＥは、タグ付けされたウェブサイトの予想される又は推定される人口統計構成に関する人口統計情報の品質がパートナＤＰ１に関して他のパートナＤＰより高いときに、その予想される又は推定される人口統計構成に基づいてパートナＤＰ１を選択することがある。他の幾つかの例ではＡＭＥは、複数の（例えば、利用可能なすべての）パートナＤＰ（例えば、ＤＰ１及びＤＰ２）を選択することがある。ブロック５１４の結果に基づいて例示のＡＭＥは、リダイレクト応答をクライアントブラウザに送り（例えば、図５Ｂの矢印（４））、クライアントブラウザに対してリダイレクト要求をパートナＤＰ１に向けて送らせ（例えば、図５Ｂの矢印（５）、ブロック５０２ａ〜５０２ｃを開始する）及び／又はパートナＤＰ２に向けて送らせる（例えば、ブロック５１６ａ〜５１６ｄを開始する）。
【００８６】
[0086]図示した例では処理ブロック５０２の動作は、クライアントコンピュータ上のウェブブラウザから受け取ったビーコン要求に基づいてインプレッションデータを収集するためにＡＭＥではなくパートナＤＰ１によって実行される。例えばタグ付けされたメディアにアクセスした後にクライアントブラウザは、ＡＭＥにビーコン要求を送ると共に、ＡＭＥによってパートナＤＰ１及び／又はパートナＤＰ２のうちの一方又は両方にリダイレクトされる（ブロック５１４）。検討を目的としてパートナＤＰ１がリダイレクトに基づいてクライアントブラウザからメッセージを受け取る（例えば、ブロック５０２ａ）ものと仮定すると、パートナＤＰ１はクライアントから受け取ったメッセージからのタグ情報（例えば、メディア情報、発行者情報、タイムスタンプ、その他）にアクセスし、これによってブラウザからのインプレッションデータを収集及び／又は記憶する（例えば、ブロック５０２ｂ）。パートナＤＰ１は、タグ情報をタグ付けされたメディアに対して露出されたユーザに関するパートナＤＰ１クッキー識別子及び／又はＡＭＥクッキー識別子と関連付けするようにそのタグ情報を処理する（ブロック５０２ｃ）。したがってブロック５０２の例示の動作によってパートナＤＰ１は、タグ付けされたメディアにアクセスするパネリスト及び／又は非パネリストユーザからインプレッション情報を収集することができる。パートナＤＰ１によるインプレッション情報の収集は、ＡＭＥによるインプレッション情報の収集に対する追加として又は代替として実施されることがある。
【００８７】
[0087]ブロック５０４においてパートナＤＰ１は、パートナＤＰ１が収集した未処理のインプレッションデータ（例えば、メディア情報、クッキー識別子、タイムスタンプ、その他）をＡＭＥに送るために圧縮する（例えば、図５Ｂの矢印（６））。ＡＭＥに対してパートナＤＰ１によって提供されるインプレッションデータは、ＡＭＥクッキー識別子（例えば、タグ情報を介して受け取った識別子）とパートナＤＰ１クッキー識別子（例えば、パートナＤＰ１にとって既知であり且つ例えばクライアントデバイスによって記憶されているユーザの識別子）との間のマッピングを含む。図５Ｂは、タイムスタンプ、インプレッション情報（例えば、メディア識別子）及びパートナＤＰ１ユーザ識別子とＡＭＥクッキー識別子の間の関連付けを含む例示のテーブル５２４を示している。例示のパートナＤＰ１はこのテーブル５２４を図５Ｂの矢印（６）に対応するメッセージの形で例示のＡＭＥサーバに送る。パートナＤＰ１クッキー識別子は、プライバシー保護のためにＡＭＥに提供されるインプレッションデータ内で匿名化されることがある。例示のマッピング情報によってＡＭＥは、複数のパートナＤＰ（例えば、ＤＰ１、ＤＰ２、その他）の間でインプレッションデータを相関させることが可能となる。図５Ａの例示のブロック５０２及び／又は５０４は、インプレッションデータを反復して収集してＡＭＥにそのデータを転送するように繰り返される及び／又は連続して実行される。
【００８８】
[0088]処理ブロック５０６の動作においてパートナＤＰ１は、ユーザ人口統計ファイルをクッキーレベルで作成する（ブロック５０６ａ）。例えばパートナＤＰ１は、ＡＭＥクッキーに対してマッピングさせるパートナＤＰクッキー識別子を含みまたパートナＤＰクッキーによってそれぞれに識別されたユーザに関する人口統計情報をさらに含むファイルを作成することがある。例えばパートナＤＰ１は、ユーザのＤＰクッキー識別子と、タグリダイレクトメッセージと関連させて（例えば、直前の報告期間中に）ＤＰクッキーが受け取られたユーザに関連付けられた人口統計情報と、を含む。クッキーレベルの人口統計ファイルは圧縮されると共に、（例えば、周期的に、非周期的に、要求に応答して、指定の時点で、その他により）ＡＭＥに転送される（例えば、ブロック５０６ｂ、図５Ｂの矢印（７））。図５Ｂには例示のテーブル５２６を示しており、これにはパートナＤＰ１クッキー識別子に関連付けられた人口統計情報を含む。その人口統計データはクッキーマッピングを行った対象のユーザに限定されること、又はデータベース所有者のクッキーからなるより大きな集合を包含することがある。
【００８９】
[0089]参照番号５０８によって示した動作においてＡＭＥは、インプレッションデータとパートナＤＰ１からの人口統計データとを合併及び／又は集合させる（ブロック５０８ａ）。例えばＡＭＥは、個々のパートナＤＰクッキーに対応する人口統計情報を、個々のパートナＤＰクッキーに対応するインプレッションデータ（例えば、ブロック５０４においてパートナＤＰ１から受け取ったインプレッションデータ、他のパートナＤＰから受け取ったインプレッションデータ、及び／又はＡＭＥが収集したその他のインプレッションデータ）と関連付けすることがある。例示のＡＭＥは、パートナＤＰ１に関する知見を（例えば、データを人口統計グループ及び／又はバケットにグループ分けすることによって）要約する（ブロック５０８ｂ）。パートナＤＰの人口統計情報及びインプレッション情報、及び／又はこれらに関する要約は次いで、既知のデータ（例えば、ＡＭＥパネリストデータ５２０）に基づいた調整（例えば、キャリブレーション）のため及び／又はメディアインプレッション報告（例えば、オンラインキャンペーンレーティング）の作成のためにキャリブレーションエンジンに供給されることがある。
【００９０】
[0090]処理ブロック５１６の動作では、ＡＭＥによるリダイレクト応答に由来する要求を受け取った後に（ブロック５１６ａ）、第２のパートナＤＰ２（例えば、図３のサーバ３０４）はブラウザに関する第２のパートナＤＰ２（例えば、第２のパートナＤＰ３０２）にとって既知のクッキーに対応する活動情報を収集及び／又は記憶する（ブロック５１６ｂ）。例示のパートナＤＰ２はそのタグ情報（例えば、インプレッションデータ）を、ブロック５０２の動作に関連して上で説明したようなパートナＤＰ１と同様の方式により収集する。例示のパートナＤＰ２は、パートナＤＰ２クッキーに基づいてインプレッションデータを処理する（ブロック５１６ｃ）。パートナＤＰ２はブロック５１６ｃにおける処理を、ブロック５１２ｃでＡＭＥによって実行される処理と同様の方式により実行することがある。しかしデータを圧縮するのではなく、例示の第２のパートナＤＰサーバ３０４は、タグ情報を周期的に要約し、このタグ情報をＯＣＲキャリブレーションエンジン５１８に送る（ブロック５１６ｄ）。例えばこのデータ要約には、個々のユーザ及び／又は個々のクッキーに関するインプレッション及び／又は人口統計情報の提供ではなく、インプレッション情報及び／又は人口統計情報をより大きな人口統計グループにするようなグループ分けを含むことがある。例示のＯＣＲキャリブレーションエンジン５１８はさらに、ＡＭＥパネル係数５２０（例えば、代表的なＡＭＥパネルの特性に基づいてインプレッション情報に加えられる重み）を受け取る。例示のＯＣＲキャリブレーションエンジン５１８は、パートナＤＰクッキーマッピングに対するＡＭＥクッキー、パートナＤＰ人口統計、パートナＤＰ活動測定（例えば、インプレッションデータ収集）、及び／又はＡＭＥ活動測定（例えば、ＡＭＥパネリスト及び／又は非パネリストインプレッション収集）に基づいてＯＣＲ報告５２２を作成する。例示の命令５００は、ブロック５０２及び／又は５０４を実行する任意の数のパートナＤＰを含むこと及び／又はブロック５１６を実行する任意の数のパートナＤＰを含むことがある。
【００９１】
[0091]図６Ａは、第１のパートナＤＰでインプレッションデータを収集することなく第１及び第２のパートナデータベース所有者から分散型人口統計情報を収集するために実行させ得る例示のマシン読み取り可能命令６００を表した流れ図である。図６Ｂは、図６Ａの命令６００を実装する図１のシステム１００の例示のプロセスを示している。例示の命令６００は、図５Ａのブロック５０６〜５２２（例えば、図６Ｂの矢印（１）〜（４））を含む。図５Ａの命令５００と異なり例示の命令６００は、ＡＭＥに対してインプレッション情報を収集させ、且つインプレッション情報を収集するタスクからパートナＤＰ１を解放する。
【００９２】
[0092]図６Ａの例示の命令６００は、ＡＭＥに対してブラウザをパートナＤＰ１ドメインのサブドメイン（例えば、ＤＰ１が動作させるサーバではなくＡＭＥサーバ６０４などパートナＤＰ１ドメインのサブドメインの下で動作する図１のＡＭＥのサーバ）にリダイレクトさせる参照番号６０２で示した命令を含む。パートナＤＰ１ドメインのサブドメインを使用するための例示の方式については、参照によってその全体を本明細書に組み込むものとする２０１１年９月２１日に出願された米国特許出願第１３／２３９，００５号に記載されている。例示のＡＭＥサーバ６０４はパートナＤＰ１サブドメインアドレスにおいてブラウザからタグリダイレクトを受け取る（ブロック６０２ａ）（図６Ｂの矢印（５））。パートナＤＰ１サブドメイン下で動作するため例示のＡＭＥは、ブラウザからパートナＤＰ１クッキーを直接受け取ることが可能である。パートナＤＰ１クッキーはＡＭＥによって（例えば、リダイレクト要求内のペイロードからＡＭＥクッキーを取り出すことによって）ＡＭＥクッキーに合併又はマッピングされる（ブロック６０２ｂ）。したがって図６ＡではパートナＤＰ１は、インプレッション又は露出データを収集及び報告する役目から解放される。ＤＰ１サブドメインのＡＭＥサーバを介してＡＭＥが収集したデータは、ブロック５０８において同じＡＭＥサーバ又は異なるＡＭＥサーバが使用して、インプレッションデータをブロック５０６で送信された人口統計データと合併することがある。例示のＡＭＥサーバ６０４は、このマッピング情報を記憶する及び／又はこのマッピング情報を別のＡＭＥサーバ１１４に送る（例えば、図６Ｂの矢印（６））。
【００９３】
[0093]図７Ａは、ユーザレベルのクッキー同期プロセスを実行するために実行させ得る例示のマシン読み取り可能命令７００を表した流れ図である。図７Ｂは、図７Ａの命令７００を実装する図１のシステム１００の例示のプロセスを示している。ユーザレベルのクッキー同期とは、ユーザ／デバイスに関連付けられたＡＭＥクッキーを同じユーザ／デバイスに関連付けられたパートナＤＰクッキーと同期させることを意味している。例示の命令７００は、図５Ａのブロック５１０、５１２及び５１６〜５２２を含む。
【００９４】
[0094]収集プロセス７０２の間にパートナＤＰ１サイトのメディアは、ＡＭＥクッキーへのユーザクッキーＩＤのマッピングを可能とさせるようにタグ付けされる（ブロック７０２ａ）。例えば、パートナＤＰ１サイトの登録ユーザが（例えば、タグ付けされたログインページにアクセスすることによって）パートナＤＰ１サイトにアクセスしたとき（図７Ｂの矢印（１））、パートナＤＰ１サイトに関連付けられたタグ（図７Ｂの矢印（２））はブラウザに対して、ＡＭＥクッキー（存在する場合）とパートナＤＰ１にとって同じく既知であるユーザのユーザ識別子（例えば、英数字のコード又は値）とを含むビーコン要求をＡＭＥへ送らせる（ブロック７０２ｂ）。例えばユーザ識別子は、ビーコン要求のペイロードに入れて伝達されることがある。ユーザのプライバシーを保全するために、例示のユーザ識別子が例示のパートナＤＰ１によって恣意的に定義されること、及び／又はパートナＤＰ１クッキーへのＡＭＥクッキーの各マッピングごとに同じユーザについて変更されることがある。さらにユーザ識別子は、ＤＰ１クッキーに対してマッピングされるが、それ自身はＤＰ１クッキーではない。例示のＡＭＥは、ユーザ識別子と受け取ったＡＭＥクッキーとの間の関連付けを記憶する。受け取ったＡＭＥクッキーが存在しない場合に例示のＡＭＥは、ブラウザにおいて新たなＡＭＥクッキーを記憶すると共に、新たなＡＭＥクッキーとユーザ識別子の間の関連付けを記録する。パートナＤＰ１がユーザについて一貫したユーザ識別子を提供するような幾つかの例ではＡＭＥは、複数のＡＭＥクッキーとこの複数のＡＭＥクッキーに対応するインプレッションデータとを、同じパートナＤＰ１クッキーに対してマッピングさせようとするＡＭＥクッキーに基づいて関連付ける。
【００９５】
[0095]マッピングプロセス７０２とは別に例示のブラウザ１１０は、ブロック５１０においてメディアに（例えば、メディアサーバから）アクセスする（図７Ｂの矢印（４））。上で説明したように例示のＡＭＥは、ビーコン要求を介してブラウザから受け取ったインプレッション情報を収集及び記憶する（例えば、ブロック５１２、図７Ｂの矢印（５）及び（６））。
【００９６】
[0096]人口統計プロセス７０４の間にパートナＤＰ１は、ユーザＩＤ（例えば、ビーコン要求を介してＡＭＥに送られたユーザＩＤ）及びキー人口統計セグメントを包含する日次／週次のパートナＤＰ１人口統計テーブル（例えば、図７Ｂのテーブル７０８）を作成する（ブロック７０４ａ）。例示のパートナＤＰ１は、人口統計ファイルを圧縮する及び／又はこれをＡＭＥに転送する（例えば、ブロック７０４ｂ、図７Ｂの矢印（７））。パートナＤＰ１にはそのユーザとＡＭＥに提供されるユーザＩＤの間の関連付けが既知であるため、例示のパートナＤＰ１はユーザＩＤを対応するユーザの人口統計情報に対してマッチングさせることが可能である。図示した例ではパートナＤＰ１はプライバシー要件に準拠するようにデータを匿名化する。ユーザ（例えば、パートナＤＰ１）ＩＤとＡＭＥクッキーの間のマッピング（例えば、ブロック７０２で提供されるデータからＡＭＥが決定）と、パートナＤＰ１人口統計テーブル（例えば、パートナＤＰ１によって提供される人口統計ファイル）とを用いて、ＡＭＥクッキーとパートナＤＰ１クッキーの間のマッピングファイルを作成することができる。クッキーマッピング及び／又はユーザＩＤとＡＭＥクッキーの間のマッピングは、オンラインメディアインプレッションに対応する視聴者人口統計を関連付けするため、及び／又は例えばオンラインキャンペーン及び／又は露出の計算及び報告を実行するために引き続いて使用される。図示した例ではＡＭＥは、不正確であるとされたあらゆる人口統計データに対する補正又は調整のためにプロフィール補正値を適用する。
【００９７】
[0097]報告プロセス７０６の間において、要約及び報告（ブロック７０６ｂ）のために（例えば、処理ブロック７０４から受け取った）パートナＤＰ１人口統計テーブルをＡＭＥ収集テーブル（例えば、処理ブロック５１２においてＡＭＥが収集したインプレッション情報テーブル）とマッチングさせる（ブロック７０６ａ）。例えばＡＭＥは、パートナＤＰ１クッキーに対応する人口統計データ（例えば、図７Ａの処理ブロック７０４及び／又は図７Ｂの矢印（７）から受け取ったもの）を、パートナＤＰ１クッキー対ＡＭＥクッキーマッピングを用いて（例えば、図７Ａの処理ブロック７０２及び／又は図７Ｂの矢印（３）から受け取った及び／又は決定されたものを用いて）活動モニタリングデータとマッチングさせる。このようにして、人口統計データは、ＡＭＥクッキーＩＤ及び／又はＤＰ１により提供されるユーザ識別子に基づいてインプレッションデータと接合させ、人口統計データを活動データと関連付ける。人口統計データと活動データとは次いで、様々な人口統計グループに対する露出を反映している報告を作成するためにキャリブレーションエンジンに供給されることがある。
【００９８】
[0098]図７Ａの例示の命令７００は、ブラウザに対してＤＰ１サーバへのリダイレクトさせない。これに代えて、パートナＤＰ１クッキー（及び／又はパートナＤＰ１ユーザ識別子）とＡＭＥクッキーの間のクッキーマッピングによってＡＭＥが収集したインプレッションデータをパートナＤＰ１により提供される人口統計情報に対してマッピングさせることを可能にする。このため図５Ａ〜５Ｂ、６Ａ〜６Ｂ及び８Ａ〜８Ｂのシステムと比較してリダイレクト回数が削減され、したがってネットワークトラフィックが減少する。さらにブラウザのリダイレクトが少なくなることによって、ユーザがリダイレクトメッセージに関連付けられた遅延を経験することが少なくなるため、ユーザ体験が向上することになる。
【００９９】
[0099]図８Ａは、インプレッションレベルのクッキー同期プロセスを実行するように実行させ得る例示のマシン読み取り可能命令８００を表した流れ図である。図８Ｂは、図８Ａの命令８００を実装する図１のシステム１００の例示のプロセスを示している。インプレッションレベルのクッキー同期とは、インプレッションに関連付けられたＡＭＥクッキーを同じインプレッションに同じく関連付けられたパートナＤＰクッキーと同期させることを意味している。例示の命令６００は、図８Ｂの少なくとも矢印（１）〜（４）を実装する図５Ａのブロック５１０〜５２２を含む。
【０１００】
[00100]収集プロセス８０２の間にパートナＤＰ１は、クライアントブラウザからリダイレクトを受け取る（例えば、図８Ａのブロック８０２ａ、図８Ｂの矢印（５））。このリダイレクトには、パートナＤＰ１に送信しようとするパラメータ（例えば、要求のペイロード内にある）としてＡＭＥクッキーを含む。パートナＤＰ１は、クライアントブラウザからリダイレクトされた要求を受け取ると共に、ＡＭＥクッキーＩＤ（リダイレクトを介してＡＭＥにより提供される）とパートナＤＰ１クッキーＩＤ（存在する場合にクライアントブラウザから受け取る）との間のマッピングを包含する応答を自動的に返す（ブロック８０２ｂ、図８Ｂの矢印（６））。幾つかの例ではその応答は、クライアントブラウザに送られ、これによりデータがＡＭＥに転送される。他の例では、ユーザ体験を低下させる可能性があるクライアントブラウザに関連する追加のメッセージを回避するために、パートナＤＰ１からＡＭＥに（例えば、非同期式通信を介して）直接的に（例えば、ブラウザを省略して）応答が送られる。収集プロセス８０２の間の例示のクッキーマッピングによれば、人口統計情報が迅速に収集されること（例えば、リアルタイムに近い収集）になり、これにより広告者は広告目標と広告結果の間の食い違いをより迅速に特定すること及び／又は所望の人口統計構成に到達させるために広告の配置及び／又はサービスをより迅速に調整することが可能となる。
【０１０１】
[00101]例えば広告発行者が男性で年齢３０〜４０歳について１日あたり１０，０００インプレッションを達成しようとしてウェブサイトＡとＢに広告を載せようと考えているが、図８Ａのプロセスによるデータ収集によってウェブサイトＡが男性で年齢３０〜４０歳について６，０００インプレッションを取り出し且つウェブサイトＡが大部分の女性インプレッションを取り出すことが示された場合に、広告発行者はその人口統計インプレッション目標を達成するために、人口統計目標に関連付けられた時間期間（例えば、日次の目標を満足させるためには７日間、１時間目標を満足させるために１時間、その他）の域内でウェブサイトＢ上の広告配置を増加させると共にウェブサイトＡ上の広告配置を減少させることが可能である。広告配置に対するこの切替えは、目下の広告キャンペーンにおいて所望の広告目標を達成するためにリアルタイムで実施されることもあり得る。過去においては、広告キャンペーンが完了し、これが目標未達の結果となった後になるまで人口統計結果が利用可能でなかった。
【０１０２】
[00102]パートナＤＰ１は、パートナＤＰ１クッキー識別子及びキー人口統計セグメントを包含するユーザテーブル（例えば、図８Ｂのテーブル８１０）やその他のデータ構造をＡＭＥに対して周期的に（例えば、毎時間、毎日、毎週、２週間ごとに、毎月、その他で）又は非周期的に（例えば、マッピング情報と一緒に）提供する（ブロック８０４ａ、図８Ｂの矢印（６）及び／又は矢印（７））。ユーザテーブルで提供されるクッキー識別子は、処理ブロック８０２においてＡＭＥ識別子にマッピングさせたクッキー識別子に対応する。図示した例ではプライバシー要件に準拠するようにデータが匿名化される（例えば、個人を識別する情報が削除される）。図示した例ではＡＭＥは、不正確であるとされたあらゆる人口統計データに対する補正又は調整のためにプロフィール補正値を適用する。
【０１０３】
[00103]報告プロセス８０６の間に例示のＡＭＥは、要約及び報告のために（ブロック８０６ｂ）、ブロック８０２から受け取ったマッピングを用いてパートナＤＰ１人口統計テーブル（例えば、ブロック８０４からの人口統計データ）をＡＭＥ収集テーブル（例えば、ブロック５１２からのオンライン活動データ）にマッチングさせる（ブロック８０６ａ）。例えばこのデータ要約には、個々のユーザ及び／又は個々のクッキーに関するインプレッション及び／又は人口統計情報の提供ではなく、インプレッション情報及び／又は人口統計情報をより大きな人口統計グループにするようなグループ分けを含むことがある。このようにして、人口統計データは、パートナＤＰ１クッキーＩＤに基づいてインプレッションデータに接合される。
【０１０４】
[00104]処理ブロック８０８における動作の際に例示のＡＭＥは、図８ＡのＯＣＲ報告５２２をメディア発行者及び／又はウェブサーバに提供する（例えば、図８Ｂのウェブサーバ１０６への矢印（８））。図８Ａの例では発行者は、ＯＣＲ報告を人口統計目標と比較する（ブロック８０８ａ）。この比較に基づいて例示の発行者は、所望の目標を達成するためにメディアの配置を調整する（例えば、ウェブサイト間でメディアの配置をシフトさせる）。したがってブロック８０８は広告者に対して、広告目標と広告結果の間の食い違いをより迅速に特定すること及び／又は所望の人口統計構成に到達させるために広告の配置及び／又はサービスをより迅速に調整することを可能にさせるフィードバック機構を提供する。
【０１０５】
[00105]例示の命令５００〜８００について図５Ａ〜８Ｂを参照しながら上で開示しているが、図５Ａ〜８Ｂに関して説明した利点などの様々な利点を達成するために図５Ａの命令５００〜８００及び／又はブロックのいずれかについてその他任意の方法により組合せる、分割する、再配置する、省略する、排除する及び／又は実装することができる。
【０１０６】
[00106]システム１００、３００を実装する例示の方式について、図１〜４、５Ｂ、６Ｂ、７Ｂ及び／又は８Ｂに示しているが、図１〜４、５Ｂ、６Ｂ、７Ｂ及び／又は８Ｂに示した要素、プロセス及び／又はデバイスのうちの１つ又は幾つかは、その他任意の方法で組合せる、分割する、再配置する、省略する、排除する及び／又は実装することができる。さらに図１の例示のウェブサーバ１０６、例示のＡＭＥサーバ（複数可）１１４、６０４、例示のパートナＤＰサーバ１０８、３０４、例示のブラウザ１１０、例示のビーコン要求リダイレクト器１２０、例示のクッキー作成器１２２、例示のパートナ選択器１２４、例示のビーコン命令作成器１２６、例示の通信インターフェース１２８、１３２、例示のクッキーマッピング器１３０及び／又はさらに一般的には図１〜４、５Ｂ、６Ｂ、７Ｂ及び／又は８Ｂの例示のシステム１００、３００は、ハードウェア、ソフトウェア、ファームウェア及び／又はハードウェア、ソフトウェア及び／又はファームウェアからなる任意の組合せによって実装することができる。したがって例えば、例示のウェブサーバ１０６、例示のＡＭＥサーバ（複数可）１１４、６０４、例示のパートナＤＰサーバ１０８、３０４、例示のブラウザ１１０、例示のビーコン要求リダイレクト器１２０、例示のクッキー作成器１２２、例示のパートナ選択器１２４、例示のビーコン命令作成器１２６、例示の通信インターフェース１２８、１３２、例示のクッキーマッピング器１３０及び／又はさらに一般的には例示のシステム１００、３００は、１つ又は複数のアナログ又はディジタル回路（複数可）、論理回路、プログラマブルプロセッサ（複数可）、特定用途向け集積回路（複数可）（ＡＳＩＣ（複数可））、プログラマブル論理デバイス（複数可）（ＰＬＤ（複数可））及び／又はフィールドプログラマブル論理デバイス（複数可）（ＦＰＬＤ（複数可））によって実装される可能性もある。純粋なソフトウェア及び／又はファームウェア実装を包含するようにした本特許の装置又はシステムの請求項のいずれかを読む際において、例示のウェブサーバ１０６、例示のＡＭＥサーバ（複数可）１１４、６０４、例示のパートナＤＰサーバ１０８、３０４、例示のブラウザ１１０、例示のビーコン要求リダイレクト器１２０、例示のクッキー作成器１２２、例示のパートナ選択器１２４、例示のビーコン命令作成器１２６、例示の通信インターフェース１２８、１３２及び／又は例示のクッキーマッピング器１３０のうちの少なくとも１つは本明細書において、ソフトウェア及び／又はファームウェアを記憶しているメモリ、ディジタル多目的ディスク（ＤＶＤ）、コンパクトディスク（ＣＤ）、ブルーレイディスク、その他などの有形のコンピュータ読み取り可能記憶デバイス又は記憶ディスクを含むように明示的に規定される。またさらには、図１〜４、５Ｂ、６Ｂ、７Ｂ及び／又は８Ｂの例示のシステム１００、３００は、１つ又は複数の要素、プロセス及び／又はデバイスを図１〜４、５Ｂ、６Ｂ、７Ｂ及び／又は８Ｂに示したものに対する追加として又は置き換えとして含むこと及び／又は図示した要素、プロセス及びデバイスのうちの任意のもの又はすべてのうちから複数のものを含む��とがある。
【０１０７】
[00107]図１〜４、５Ｂ、６Ｂ、７Ｂ及び／又は８Ｂのシステム１００、３００を実装するための例示のマシン読み取り可能命令を表した流れ図を図９〜１３に示している。この例ではマシン読み取り可能命令は、図１４に関連して以下で検討する例示のプロセッサプラットフォーム１４００に示すようなプロセッサ１４１２などのプロセッサによって実行させるためのプログラムを含む。このプログラムは、ＣＤ−ＲＯＭ、フロッピーディスク（登録商標）、ハードドライブ、ディジタル多目的ディスク（ＤＶＤ）、ブルーレイディスク又はプロセッサ１４１２に関連付けられたメモリなどの有形のコンピュータ読み取り可能記憶媒体上に記憶されたソフトウェアの形で具現化することができるが、プログラム全体及び／又はその一部は代替形態としてプロセッサ１４１２以外のデバイスによって実行させること及び／又はファームウェアや専用のハードウェアの形で具現化させることも可能である。さらに、図９〜１３に示した流れ図を参照しながら例示のプログラムについて説明しているが、例示のシステム１００、３００を実装するその他多くの方法も代替形態として使用することができる。例えば、ブロックの実行順序を変更すること、及び／又は記載したブロックのうちの幾つかについて変更、排除又は組合せることができる。
【０１０８】
[00108]上で言及したように図９〜１３の例示のプロセスは、その内部に任意の期間にわたって（例えば、長期間、恒久的に、ごく短かい間、一時的なバッファリングの間、及び／又は情報をキャッシュする間）情報を記憶するハードディスクドライブ、フラッシュメモリ、読み出し専用メモリ（ＲＯＭ）、コンパクトディスク（ＣＤ）、ディジタル多目的ディスク（ＤＶＤ）、キャッシュ、ランダムアクセスメモリ（ＲＡＭ）及び／又はその他任意の記憶デバイスや記憶ディスクなどの有形のコンピュータ読み取り可能記憶媒体上に記憶されたコード化済み命令（例えば、コンピュータ及び／又はマシンに読み取り可能な命令）を用いて実装することができる。本明細書で使用する場合に有形のコンピュータ読み取り可能記憶媒体という用語は、任意のタイプのコンピュータ読み取り可能な記憶デバイス及び／又は記憶ディスクを含むと共に、伝播する信号は除外するように明示的に規定する。本明細書で使用する場合に「有形のコンピュータ読み取り可能記憶媒体」と「有形のマシン読み取り可能記憶媒体」とは置き換え可能に使用できる。追加として又は代替として図９〜１３の例示のプロセスは、その内部に任意の期間にわたって（例えば、長期間、恒久的に、ごく短かい間、一時的なバッファリングの間、及び／又は情報をキャッシュする間）情報を記憶するハードディスクドライブ、フラッシュメモリ、読み出し専用メモリ、コンパクトディスク、ディジタル多目的ディスク、キャッシュ、ランダムアクセスメモリ及び／又はその他任意の記憶デバイスや記憶ディスクなどの非一時的コンピュータ及び／又はマシン読み取り可能媒体上に記憶されたコード化済み命令（例えば、コンピュータ及び／又はマシンに読み取り可能な命令）を用いて実装することができる。本明細書で使用する場合に非一時的コンピュータ読み取り可能媒体という用語は、任意のタイプのコンピュータ読み取り可能なデバイスやディスクを含むと共に、伝播する信号は除外するように明示的に規定する。本明細書で使用する場合に、「少なくとも」という表現は、請求項のプリアンブルにおける転換句として使用する場合、「ｃｏｍｐｒｉｓｉｎｇ（を備える、を含む）」という用途が非限定的であるのと同じ意味でこれも非限定的である。
【０１０９】
[00109]図９は、図１〜４、５Ｂ、６Ｂ、７Ｂ及び／又は８Ｂの例示のブラウザ１１０に関するパートナＤＰクッキーへのＡＭＥクッキーのマッピングが実装されるようにして当該ブラウザを実装するように実行させ得る例示のマシン読み取り可能命令９００を表した流れ図である。
【０１１０】
[00110]図１の例示のブラウザ１１０は、ウェブページに関する要求を（例えば、パートナＤＰ及び／又は別のウェブページ発行者に）送る（ブロック９０２）。例示のブラウザ１１０は、ビーコン命令（例えば、ＡＭＥにより提供されたタグ）を含むウェブページコードを受け取る（ブロック９０４）。例示のブラウザ１１０は、ビーコン命令を実行し（ブロック９０６）、且つビーコン命令からビーコン要求を作成する（ブロック９０８）。
【０１１１】
[00111]例示のブラウザ１１０は、ＡＭＥドメインのクッキーを記憶しているかどうかを決定する（ブロック９１０）。例えばＡＭＥは、ブラウザ１１０に対してＡＭＥドメインのクッキーを以前に記憶させることがある。ＡＭＥドメインのクッキーが記憶されている場合（ブロック９１０）、例示のブラウザ１１０はそのＡＭＥクッキーをビーコン要求に追加する（ブロック９１２）。ＡＭＥクッキーをビーコン要求に追加した後（ブロック９１２）、又はＡＭＥドメインに関して記憶されたクッキーが存在しない場合（ブロック９１０）、例示のブラウザ１１０はＡＭＥサーバ１１４にビーコン要求を送る（ブロック９１４）。ブロック９０２〜９１４の任意のブロックを実行するための例示の方法及び装置については、本明細書に全部を記載していないが参照により本明細書にその全体を組み込むものとする米国特許第８，３７０，４８９号に記載されている。
【０１１２】
[00112]例示のブラウザ１１０は、応答が受け取り済みかどうかを決定する（ブロック９１６）。応答を受け取っていない場合（ブロック９１６）、例示のブラウザ１１０は応答タイムアウト（例えば、ウォッチドッグタイマ）が満了したかどうかを決定する（ブロック９１７）。例えばブラウザ１１０がビーコン要求内にＡＭＥクッキーを提供し且つＡＭＥサーバ１１４によりそのＡＭＥクッキーがパートナＤＰクッキーに対してマッピングされると決定されたとき、例示のＡＭＥサーバ１１４はそのインプレッションをログ記録すると共にブラウザ１１０への応答の送信を省略することがある。応答を返さないことによって例示のＡＭＥサーバ１１４及びブラウザ１１０は、ネットワークトラフィックの量を低減すること、及び／又はパートナＤＰに送られるデータ量を低減することができる。応答タイムアウトが生じなかった場合（ブロック９１７）、制御はブロック９１６にループし、ビーコン要求に対する応答の待機を続ける。幾つかの例では、無限ループの形でハングするのを防止するためにブロック９１６においてタイマを使用する。このような例では、あるタイムアウト時間内に応答を受けなかった場合に、制御はブロック９１６からジャンプし図９の命令を終了させる。
【０１１３】
[00113]応答を受け取ると（ブロック９１６）、例示のブラウザ１１０はその応答がリダイレクトメッセージ（例えば、３０２  ＦＯＵＮＤメッセージ）であるかどうかを決定する（ブロック９１８）。応答がリダイレクトメッセージである場合（ブロック９１８）、例示のブラウザ１１０はリダイレクト命令からパートナＤＰ要求を作成する（ブロック９２０）。例えばパートナＤＰ要求は、リダイレクトメッセージで指定されたパートナＤＰサーバのＵＲＬを含むことがある。
【０１１４】
[00114]例示のブラウザ１１０は、リダイレクトで指定されたパートナＤＰドメインのクッキーが記憶されているかどうかを決定する（ブロック９２２）。例えばパートナＤＰは、ブラウザ１１０に対してパートナＤＰドメインのクッキーを以前に記憶させることがある。パートナＤＰドメインについて記憶されたクッキーが存在する場合（ブロック９２２）、例示のブラウザはそのパートナＤＰクッキーをパートナＤＰ要求に追加する（ブロック９２４）。パートナＤＰクッキーを追加した後（ブロック９２４）、又は記憶されているパートナＤＰクッキーが存在しない場合（ブロック９２２）、例示のブラウザ１１０はパートナＤＰサーバ１０８にパートナＤＰ要求を送る（ブロック９２６）。パートナＤＰサーバにパートナＤＰ要求を送った後において（ブロック９２６）、ＡＭＥサーバ１１４からの応答がリダイレクトでない場合（例えば、１×１透明画素などのプレースホルダー画像である場合）（ブロック９１８）、又は応答タイムアウトが発生した場合（ブロック９１７）、例示の命令９００は終了する。
【０１１５】
[00115]図１０は、パートナＤＰクッキーへのＡＭＥクッキーのマッピングを開始させるように図１〜４、５Ｂ、６Ｂ、７Ｂ及び／又は８Ｂの例示のＡＭＥサーバ１１４を実装するように実行させ得る例示のマシン読み取り可能命令１０００を表した流れ図である。
【０１１６】
[00116]図１の例示のＡＭＥサーバ１１４は、ブラウザ（例えば、図１のブラウザ１１０）からビーコン要求を受け取る（ブロック１００２）。例示のＡＭＥサーバ１１４は、そのビーコン要求がＡＭＥクッキーを含むかどうかを決定する（ブロック１００４）。ビーコン要求がＡＭＥクッキーを含まない場合（ブロック１００４）、例示のＡＭＥサーバ１１４はそのブラウザに関するＡＭＥクッキーを作成する（ブロック１００６）。例えばＡＭＥクッキーによってＡＭＥサーバは、ＡＭＥタグ付けされたウェブページ内におけるブラウザのオンライン活動を追跡することが可能である。ビーコン要求がＡＭＥクッキーを含む場合（ブロック１００４）、例示のＡＭＥサーバ１１４はそのＡＭＥクッキーがパートナＤＰクッキーに対してすでにマッピングされるかどうかを決定する（ブロック１００８）。例えばＡＭＥサーバ１１４は、そのＡＭＥクッキーが１つ又は複数のパートナＤＰのクッキーにマッピングされると決定することがある。ＡＭＥクッキーがパートナＤＰクッキーにマッピングされる場合（ブロック１００８）、例示のＡＭＥサーバ１１４は追加のマッピングを希望するかどうかを決定する（ブロック１００９）。例えばＡＭＥサーバ１１４がＡＭＥクッキーと第１のパートナＤＰクッキーの間のマッピングを有することがあっても、インプレッションデータに付与される人口統計情報の品質を向上させるためにＡＭＥクッキーを他のパートナＤＰからの第２の（又は、より多くの）パートナＤＰクッキーに対してマッピングすることが望ましいことがある。
【０１１７】
[00117]パートナＤＰクッキー（例えば、第１のパートナＤＰクッキー及び／又は追加のパートナＤＰクッキー）に対するＡＭＥクッキーのマッピングを希望する場合（ブロック１００８、１００９）、又はＡＭＥクッキーを作成した後に（ブロック１００６）、例示のＡＭＥサーバ１１４はリダイレクト応答を作成する（ブロック１０１０）。例示のＡＭＥサーバ１１４は、ＡＭＥクッキー（例えば、作成した又は以前に記憶されていたクッキー）の識別子と、リダイレクト応答で接触しようとするパートナＤＰのアドレス（例えば、ＵＲＬ）と、を含む（ブロック１０１２）。例示のＡＭＥサーバ１１４はリダイレクト応答（例えば、ＡＭＥクッキー識別子及びパートナＤＰアドレスを含む）をブラウザ１１０に送る（ブロック１０１４）。幾つかの例では、ブロック１００２〜１０１４が１つのプロセスを意味しており、またブロック１０１６〜１０３０は並列に実行される別のプロセスを意味している。このような例では第１のプロセスはブロック１０１４の後に終了する。
【０１１８】
[00118]図１０の例に戻ると、例示のＡＭＥサーバ１１４はＡＭＥクッキー対パートナＤＰクッキーのマッピングを受け取ったかどうかを決定する（ブロック１０１６）。例示のＡＭＥサーバ１１４は、ブロック１０１４と１０１６の間の時間期間にわたって待機する（例えば、ブラウザ１１０に対してパートナＤＰサーバ１０８に要求を送ることを許可する）ことがある。ＡＭＥクッキー対パートナＤＰクッキーのマッピングを受け取った場合（ブロック１０１６）、例示のＡＭＥサーバ１１４はＡＭＥクッキー対パートナＤＰクッキーのマッピングをログ記録する（ブロック１０１８）。例えばマッピングは、ＡＭＥクッキー識別子と、対応するパートナＤＰクッキー識別子と、を含むことがある。
【０１１９】
[00119]幾つかの例ではブロック１０１６及び１０１８は、ＡＭＥクッキーとパートナＤＰクッキーの間のマッピングの受け取り及び／又は記憶のために別のプロセスとして実行させ得るスレッドを構成する。例えばＡＭＥサーバ１１４は、ブラウザをパートナＤＰサーバ１０８、３０４にリダイレクトすることがある。パートナＤＰサーバ１０８、３０４は、ＡＭＥクッキーとパートナＤＰクッキーの間の関連付けを決定すると共に、マッピングをＡＭＥサーバ１１４に即座に（例えば、直接に又はブラウザ１１０を介して）送信するのではなく、例示のパートナＤＰサーバ１０８、３０４によってそのマッピングがバッチとして（例えば、複数のメッセージ、ファイル内の複数のマッピング、その他として）処理及び／又は送信される。
【０１２０】
[00120]図１０の例に戻ると、クッキーマッピングをログ記録した後に（ブロック１０１８）、又はクッキーマッピングを受け取っていない場合に（ブロック１０１６）、例示のＡＭＥサーバ１１４は追加のパートナＤＰからのマッピングを要求するかどうかを決定する（ブロック１０２０）。例えばブラウザ１１０は、ＡＭＥサーバ１１４による複数のパートナＤＰへの要求のリダイレクトを可能にさせるタグ付け命令に基づいて複数のビーコン要求を選択することがある。ＡＭＥサーバ１１４が追加のパートナＤＰからのマッピングを要求しようとする場合（ブロック１０２０）、例示のＡＭＥサーバ１１４はリダイレクト応答を作成する（ブロック１０２２）。例示のＡＭＥサーバ１１４は、リダイレクト応答内にＡＭＥクッキー（例えば、作成された又は受け取ったＡＭＥクッキー）を含める（ブロック１０２４）。例示のＡＭＥサーバ１１４はリダイレクト要求をブラウザ１１０に送る（ブロック１０２６）。
【０１２１】
[00121]ＡＭＥサーバ１１４が追加の（例えば、複数の）パートナＤＰからのマッピングを要求しようとするような幾つかの例では（ブロック１０２０）、例示のＡＭＥサーバ１１４はブラウザ１１０に対して複数のリダイレクト応答をビーコン要求に応答して同時に発することがある。
【０１２２】
[00122]図１０の例に戻ると、例示のＡＭＥサーバ１１４は（例えば、パートナＤＰ＿ＯＣＲ及び／又は人口統計情報の周期的の送信を介して）パートナＤＰデータに対する後続のマッチングのためにＡＭＥクッキーを記憶する（ブロック１０２８）。
【０１２３】
[00123]ＡＭＥクッキーを記憶した後に（ブロック１０２８）、ＡＭＥサーバ１１４が追加のパートナＤＰにマッピングを要求しない場合（ブロック１０２０）、又は追加のパートナＤＰに対するクッキーマッピングを希望しない場合（ブロック１００９）、図１０の例示の命令１０００は終了する。
【０１２４】
[00124]図１１は、パートナＤＰから取得した人口統計をオンライン活動モニタリング情報（例えば、インプレッションデータ及び／又は露出データ）と関連付けさせるようにして図１〜４、５Ｂ、６Ｂ、７Ｂ及び／又は８Ｂの例示のＡＭＥサーバ１１４を実装するように実行させ得る例示のマシン読み取り可能命令１１００を表した流れ図である。
【０１２５】
[00125]例示のＡＭＥサーバ１１４はＡＭＥクッキー対パートナＤＰクッキーのマッピングを取得する（ブロック１１０２）。例えばＡＭＥサーバ１１４は、図１のパートナＤＰサーバ１０８からパートナＤＰクッキーへのＡＭＥクッキーのマッピングを含む周期的又は非周期的な報告を受け取ることがある。追加として又は代替として例示のＡＭＥサーバ１１４は、ＡＭＥクッキー対パートナＤＰクッキーのマッピングを含むメッセージ（例えば、ＨＴＴＰメッセージ）をパートナＤＰサーバ１０８、３０４から（例えば、直接に又はブラウザ１１０を介して）受け取ることがある。例示のＡＭＥサーバ１１４は、パートナＤＰクッキー（複数可）に対応する人口統計情報を取得する（ブロック１１０４）。
【０１２６】
[00126]例示のＡＭＥサーバ１１４は、ＡＭＥクッキー対パートナＤＰクッキーのマッピングを選択する（ブロック１１０６）。例示のＡＭＥサーバ１１４は、選択したマッピングのパートナＤＰクッキーが追加のＡＭＥクッキー（例えば、選択したマッピングのＡＭＥクッキー以外のＡＭＥクッキー）に対してマッピングされるかどうかを決定する（ブロック１１０８）。例えば、次いである１つのパートナＤＰクッキーに関連付けされるある１人のユーザに関連付けられたブラウザ１１０に対して複数のＡＭＥクッキーが提供されることがある。ＡＭＥクッキーが期限切れとなる又はブラウザ１１０によって削除されると、追加のＡＭＥクッキーがブラウザ１１０に提供されると共にこれが同じパートナＤＰクッキーに対してマッピングされることがある。例示のＡＭＥサーバ１１４は次いで、同じパートナＤＰクッキーに対してマッピングされた複数のＡＭＥクッキーについてのインプレッションデータを合併させることによって当該ユーザのインプレッションを相関させる。パートナＤＰクッキーが追加のＡＭＥクッキーにマッピングされた場合（ブロック１１０８）、例示のＡＭＥサーバはそのパートナＤＰクッキーに対応するＡＭＥクッキー（複数可）のマッピングを合併させる（ブロック１１１０）。マッピングの合併によって例示のＡＭＥサーバ１１４は、ブラウザに関連付けられたユーザの活動（例えば、インプレッション）を合併させることが可能となる。
【０１２７】
[00127]マッピングを合併させた後に（ブロック１１１０）又はパートナＤＰクッキーが追加のＡＭＥクッキーにマッピングされていない場合（ブロック１１０８）、例示のＡＭＥサーバ１１４はＡＭＥクッキー（複数可）（例えば、選択したマッピングのＡＭＥクッキー及び／又は合併したＡＭＥクッキー（複数可））が追加のパートナＤＰクッキー（複数可）に対してマッピングされるかどうかを決定する（ブロック１１１２）。例えばＡＭＥサーバ１１４は、上述のように単一のＡＭＥクッキーに関して複数のパートナＤＰサーバ１０８、３０４からマッピングを要求し且つ受け取ることがある。ＡＭＥクッキー（複数可）が追加のパートナＤＰクッキー（複数可）にマッピングされる場合（ブロック１１１２）、例示のＡＭＥサーバ１１４はＡＭＥクッキー（複数可）に対する追加のパートナＤＰクッキーのマッピングを合併する（ブロック１１１４）。
【０１２８】
[00128]マッピングを合併させた後に（ブロック１１１４）、又はＡＭＥクッキーにマッピングされた追加のパートナＤＰクッキーが存在しない場合（ブロック１１１２）、例示のＡＭＥサーバ１１４は合併について考慮すべき追加のマッピングが存在するかどうかを決定する（ブロック１１１６）。追加のマッピングが存在する場合（ブロック１１１６）、制御はブロック１１０６に戻り別のＡＭＥクッキー対パートナＤＰクッキーのマッピングを選択する。
【０１２９】
[00129]追加のマッピングが存在しないとき（ブロック１１１６）、例示のＡＭＥサーバ１１４は（例えば、パートナＤＰクッキーへのＡＭＥクッキーの合併された未合併のマッピングに基づいて）ＡＭＥクッキーによって測定したオンライン活動（例えば、インプレッションデータ）をパートナＤＰクッキーに対応する受け取った人口統計情報に関連付けする（ブロック１１１８）。例えばＡＭＥサーバ１１４は、パートナＤＰクッキーへのＡＭＥクッキーのマッピングを決定することによって、ＡＭＥクッキーに関連付けさせて測定したインプレッションデータをパートナＤＰクッキーに関連付けさせて受け取った人口統計データとマッチングさせることがある。例示のＡＭＥサーバ１１４は、パートナＤＰクッキーを用いてパートナＤＰによって測定された任意の追加のオンライン活動をＡＭＥクッキーと関連付けする（ブロック１１２０）。このため例示のＡＭＥサーバ１１４は、ＡＭＥにより測定されるオンライン活動（存在する場合）を、ＡＭＥが測定しなかったパートナＤＰによって測定されたオンライン活動と一緒に集合させ、これがさらにＡＭＥにとって以前は利用可能でなかったパートナＤＰにより提供される人口統計情報と関連付けされる。次いで例示の命令１１００は終了する。
【０１３０】
[00130]図１２は、パートナＤＰクッキーに対してＡＭＥクッキーがマッピングされるようにして図１〜４、５Ｂ、６Ｂ、７Ｂ及び／又は８Ｂの例示のパートナＤＰサーバ１０８、３０４を実装するように実行させ得る例示のマシン読み取り可能命令１２００を表した流れ図である。明瞭にするため図１２の例示の命令１２００を例示のパートナＤＰサーバ１０８に関連して以下で説明することにする。
【０１３１】
[00131]図１の例示のパートナＤＰサーバ１０８はブラウザ（例えば、図１のブラウザ１１０）から要求を受け取る（ブロック１２０２）。例示のパートナＤＰサーバ１０８は、その要求がパートナＤＰクッキーを含むかどうかを決定する（ブロック１２０４）。例えばブラウザ１１０のユーザが以前にアカウントを設定済みであるか、さもなければパートナＤＰに情報を提供済みである場合、例示のパートナＤＰはブラウザ１１０を実行するコンピュータ上にクッキーが記憶済みのことがある。
【０１３２】
[00132]その要求がパートナＤＰクッキーを含む場合（ブロック１２０４）、例示のパートナＤＰサーバ１０８はこのパートナＤＰクッキーデータを読み取る（ブロック１２０６）。例えばパートナＤＰサーバ１０８は、このパートナＤＰクッキーデータからユーザ識別子やその他の識別用情報を決定することがある。例示のパートナＤＰサーバ１０８は次いで、クッキーに基づいてパートナＤＰで登録されたユーザを識別する（ブロック１２０８）。
【０１３３】
[00133]例示のパートナＤＰサーバ１０８はマッピング応答を作成する（ブロック１２１０）。パートナＤＰサーバ１０８は、マッピング応答内にＡＭＥクッキー対パートナＤＰクッキーのマッピングを含める（ブロック１２１２）。例えばパートナＤＰサーバ１０８は、ＡＭＥサーバ１１４のドメインを含むＵＲＬ、ＡＭＥクッキーの識別子、ＡＭＥクッキーに対してマッピングされたパートナＤＰクッキーの識別子をマッピング応答内に含めることがある。例示のパートナＤＰサーバ１０８は、パートナＤＰクッキーに対応する人口統計情報をマッピング内に含めるべきかどうかを決定する（ブロック１２１４）。例えばパートナＤＰサーバ１０８は、マッピングと一緒に人口統計情報を提供すること、及び／又はＡＭＥ１０２に対して周期的に人口統計情報を提供することがある。
【０１３４】
[00134]パートナＤＰサーバ１０８がマッピング内に人口統計情報を含めないようにした場合（ブロック１２１４）、例示のパートナＤＰサーバ１０８はＡＭＥサーバ１１４に又はブラウザ１１０にマッピング応答を送る（ブロック１２１６）。例えばパートナＤＰサーバ１０８は、ＡＭＥサーバ１１４に非同期式ＨＴＴＰ要求を送ること、及び／又はブラウザに対してＡＭＥサーバ１１４へ要求を送らせるためのリダイレクト応答をブラウザ１１０に送ることがある。例示のパートナＤＰサーバ１０８は、ＡＭＥクッキー、パートナＤＰクッキー及び人口統計情報を含むデータをＡＭＥサーバ１１４に周期的に送る（ブロック１２１８）。しかしパートナＤＰサーバ１０８は、追加として又は代替として非周期的やその他の間隔をおいてＡＭＥサーバ１１４にデータを送ることがある。パートナＤＰサーバ１０８が人口統計情報を含めるようにした場合（ブロック１２１４）、例示のパートナＤＰサーバ１０８はＡＭＥサーバ１１４に又はブラウザ１１０に人口統計情報を含むマッピング応答を送る（ブロック１２２０）。
【０１３５】
[00135]人口統計情報を含むマッピング応答を送った後（ブロック１２２０）又はマッピング応答を送ると共に人口統計データを別に送った後に（ブロック１２１６及び１２１８）、図１２の例示の命令は終了する。
【０１３６】
[00136]図１３は、メディア（例えば、広告、ウェブページ、その他）に対するタグ付けのためにウェブサーバ（例えば、図１のウェブサーバ１０６）によって配給しようとするビーコン命令（例えば、タグ）を作成させるようにして図１の例示のビーコン命令作成器１２６を実装するように実行させ得る例示のマシン読み取り可能命令１３００を表した流れ図である。
【０１３７】
[00137]図１の例示のビーコン命令作成器１２６はウェブサイト及び／又はウェブサーバ情報（例えば、アドレス情報、図１のウェブサーバ１０６によって配給されるウェブサイトを記述する情報）を受け取る（ブロック１３０２）。例示のビーコン命令作成器１２６はウェブサイト及び／又はウェブサーバに関するビーコン命令（複数可）を作成する（ブロック１３０４）。幾つかの例ではビーコン命令作成器１２６は、ウェブサイト及び／又はウェブサイト要素に関する（例えば、ウェブサイト全体に関する、ウェブサイトの一部である広告やその他のメディア、その他に関する）テンプレート命令を作成する。ビーコン命令作成器１２６によって作成された例示のビーコン命令はブラウザやビーコン命令を受け取ったその他のクライアントデバイスに対して、インプレッション測定及び／又は本明細書に開示したような１つ又は複数のパートナＤＰクッキーへのＡＭＥクッキーのマッピングに至るようなプロセスを容易にするようにビーコン要求を開始させる。
【０１３８】
[00138]例示のビーコン命令作成器１２６は、そのビーコン命令が修正可能な（例えば、カスタマイズ可能な）データを含むかどうかを決定する（ブロック１３０６）。例示の修正可能なデータを、ウェブサイト、ウェブサーバ、広告キャンペーン又はその他の目的のためにビーコン命令をカスタマイズさせるためのビーコン命令内に含めることがある。修正不可能として構成させ得る例示の情報には、ビーコン命令が通信を開始しようとする相手のＡＭＥサーバ１１４のアドレスが含まれる。ビーコン命令内に修正可能な情報が存在する場合（ブロック１３０６）、例示のビーコン命令作成器１２６はウェブサイト及び／又はウェブサーバ情報に基づいて修正可能なビーコン命令データを修正する（ブロック１３０８）。
【０１３９】
[00139]幾つかの例ではビーコン命令は、ブラウザ１１０に送達されるウェブページに基づいてウェブサーバ１０６によって修正可能なデータを含む。例えばビーコン命令は、ブラウザ１１０のユーザの身元及び／又はビーコン命令の送信に関するタイムスタンプに応じて例示のブラウザ１１０に異なるデータを提供することがある。
【０１４０】
[00140]ビーコン命令データを修正した後に（ブロック１３０８）、又はそのビーコン命令が修正可能でない場合（ブロック１３０６）、例示のビーコン命令作成器１２６はウェブサーバ１０６にメディア内に含めるためのビーコン命令を提供する（ブロック１３１０）。例えばビーコン命令作成器１２６はウェブサーバ１０６に対してビーコン命令を通信インターフェースを介して送信すること及び／又はウェブサーバ１０６のスクリプト及び／又はコード内に含めるためにウェブサイトの開発者又は管理者に命令を提供することがある。次いで例示の命令１３００は終了する、及び／又はウェブサーバ１０６又は追加のウェブサーバについて追加のビーコン命令を作成するために反復させる。
【０１４１】
[00141]図１４は、例示のＡＭＥサーバ（複数可）１１４、例示のパートナＤＰサーバ１０８、３０４、例示のブラウザ１１０及び／又はさらに一般的には図１〜４、５Ｂ、６Ｂ、７Ｂ及び／又は８Ｂの例示のシステム１００、３００を実装するように図９〜１３の命令を実行することが可能な例示のプロセッサプラットフォーム１４００のブロック図である。プロセッサプラットフォーム１４００は例えば、サーバ、パーソナルコンピュータ、又は別の任意のタイプのコンピューティングデバイスとすることが可能である。
【０１４２】
[00142]図示した例のプロセッサプラットフォーム１４００はプロセッサ１４１２を含む。図示した例のプロセッサ１４１２はハードウェアである。例えばプロセッサ１４１２は、所望の任意のファミリー又は製造者からの１つ又は複数の集積回路、論理回路、マイクロプロセッサ又はコントローラによって実装させることが可能である。
【０１４３】
[00143]図示した例のプロセッサ１４１２はローカルメモリ１４１３（例えば、キャッシュ）を含む。図示した例のプロセッサ１４１２は、揮発性メモリ１４１４及び不揮発メモリ１４１６を含むメインメモリとバス１４１８を介して通信する。揮発性メモリ１４１４は、同期式ダイナミックランダムアクセスメモリ（ＳＤＲＡＭ）、ダイナミックランダムアクセスメモリ（ＤＲＡＭ）、ＲＡＭＢＵＳダイナミックランダムアクセスメモリ（ＲＤＲＡＭ）及び／又は別の任意のタイプのランダムアクセスメモリデバイスによって実装されることがある。不揮発メモリ１４１６は、フラッシュメモリ及び／又はその他任意の所望のタイプのメモリデバイスによって実装されることがある。メインメモリ１４１４、１４１６に対するアクセスはメモリコントローラによって制御される。
【０１４４】
[00144]図示した例のプロセッサプラットフォーム１４００はまた、インターフェース回路１４２０を含む。インターフェース回路１４２０は、イーサネット（登録商標）インターフェース、ユニバーサルシリアルバス（ＵＳＢ）、ＰＣＩエクスプレスインターフェース及び／又はその他任意の通信インターフェースなどの任意のタイプのインターフェース標準によって実装されることがある。
【０１４５】
[00145]図示した例では１つ又は複数の入力デバイス１４２２がインターフェース回路１４２０に接続される。入力デバイス（複数可）１４２２によってユーザは、プロセッサ１４１２にデータやコマンドを入力することができる。入力デバイス（複数可）は、例えば音響センサ、マイクロフォン、カメラ（静止式や動画式）、キーボード、ボタン、マウス、タッチ式画面、トラックパッド、トラックボール、アイソポイント及び／又は音声認識システムによって実装させることが可能である。
【０１４６】
[00146]図示した例のインターフェース回路１４２０は１つ又は複数の出力デバイス１４２４にも接続される。出力デバイス１４２４は、例えば表示デバイス（例えば、発光ダイオード（ＬＥＤ）、有機発光ダイオード（ＯＬＥＤ）、液晶ディスプレイ、陰極線管ディスプレイ（ＣＲＴ）、タッチ式画面、触覚的出力デバイス、発光ダイオード（ＬＥＤ）、プリンタ及び／又はスピーカー）によって実装させることが可能である。図示した例のインターフェース回路１４２０はしたがって、グラフィックスドライバーカード、グラフィックスドライバーチップ又はグラフィックスドライバープロセッサを含むのが典型的である。
【０１４７】
[00147]図示した例のインターフェース回路１４２０はまた、ネットワーク１４２６（例えば、イーサネット接続、ディジタル加入者回線（ＤＳＬ）、電話線、同軸ケーブル、携帯電話システム、その他）を介した外部マシン（例えば、任意の種類のコンピューティングデバイス）とのデータのやり取りを容易にするために、送信機、受信機、送受信機、モデム及び／又はネットワークインターフェースカードなどの通信デバイスを含む。
【０１４８】
[00148]図示した例のプロセッサプラットフォーム１４００はまた、ソフトウェア及び／又はデータを記憶するための１つ又は複数の大容量記憶デバイス１４２８を含む。このような大容量記憶デバイス１４２８の例には、フロッピーディスクドライブ、ハードドライブディスク、コンパクトディスクドライブ、ブルーレイディスクドライブ、ＲＡＩＤシステム及びディジタル多目的ディスク（ＤＶＤ）ドライブが含まれる。
【０１４９】
[00149]図９〜１３のコード化済み命令１４３２は、大容量記憶デバイス１４２８内、揮発性メモリ１４１４内、不揮発メモリ１４１６内、及び／又はＣＤやＤＶＤなどの取外し可能で有形のコンピュータ読み取り可能記憶媒体内に記憶されることがある。
【０１５０】
[00150]本明細書に開示した例示の方法及び装置は、視聴者測定エンティティが以前に利用可能であったものと比べてより多くのオンラインユーザに関する人口統計情報を視聴者測定エンティティに提供する。本明細書に開示した例示の方法及び装置によれば、個々のユーザのプライバシーを保全しながら収集されるデータの量が増大することによって統計学的方法の使用に関連する不確実性が低減される。本明細書に開示した例示の方法及び装置によれば、関連するクッキーの寿命や有効性の間にデータベース所有者に必要となるリダイレクトの数が低減される。本明細書に開示した例示の方法及び装置によればリダイレクトの数の低減によって、クライアントブラウザのパフォーマンスにマイナスの影響を及ぼす可能性がある中断、干渉及び／又はバックグラウンド処理が低減され、これにより視聴者メンバに対する全体的なユーザ体験が向上する。例示の方法及び装置によれば、人口統計情報に対する露出情報のマッチングにおけるネットワーク輻輳や収集に関連する遅延が低減されることによってネットワーク環境の全体的効率が向上する。
【０１５１】
[00151]２０１３年４月１２日に出願された参照によりその全体を本明細書に組み入れるオーストラリア国特許出願第２０１３２０４８６５号よりの優先権を本特許が主張することに留意されたい。
【０１５２】
[00152]ある種の例示の方法、装置及び製品について本明細書に開示しているが、本特許の包含範囲はこれらに限定されるものではない。そうではなく本特許は、本特許の特許請求の範囲の趣旨域内に妥当に属するとされるすべての方法、装置及び製品を包含するものである。
【図１】
2020030849.tif 000003
【図２】
2020030849.tif 000004
【図３】
2020030849.tif 000005
【図４】
2020030849.tif 000006
【図５Ａ】
2020030849.tif 000007
【図５Ｂ】
2020030849.tif 000008
【図６Ａ】
2020030849.tif 000009
【図６Ｂ】
2020030849.tif 000010
【図７Ａ】
2020030849.tif 000011
【図７Ｂ】
2020030849.tif 000012
【図８Ａ】
2020030849.tif 000013
【図８Ｂ】
2020030849.tif 000014
【図９】
2020030849.tif 000015
【図１０】
2020030849.tif 000016
【図１１】
2020030849.tif 000017
【図１２】
2020030849.tif 000018
【図１３】
2020030849.tif 000019
【図１４】
2020030849.tif 000020
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
通信インターフェースと、
ウェブサイト内に含ませる命令を作成すると共に、前記通信インターフェースに対して前記命令を前記ウェブサイトに関連付けられたウェブサーバに提供させるプロセッサであって、前記命令は、前記命令の実行時にクライアントデバイスに対してプロセスを開始させ、前記プロセスは、
視聴者測定エンティティへの第１の要求を送るサブステップと、
データベース所有者に対して、前記クライアントデバイスに対応するデータベース所有者クッキーへの視聴者測定エンティティクッキーのクッキーマッピングを前記視聴者測定エンティティへ送らせる第２の要求を送るサブステップであって、前記視聴者測定エンティティクッキーは、前記視聴者測定エンティティに対応する第１のサーバによって前記クライアントデバイスにおいて設定され、前記データベース所有者クッキーは、前記データベース所有者に対応する第２のサーバによって前記クライアントデバイスにおいて設定される、サブステップと、
を含む、プロセッサと、
を備える装置。
【請求項２】
前記通信インターフェースが前記ウェブサイトに関連付けられた情報を受け取り、前記プロセッサが前記情報に基づいて前記命令を作成する、請求項１に記載の装置。
【請求項３】
前記プロセスが、前記視聴者測定エンティティからリダイレクトメッセージを受け取るサブステップであって、該リダイレクトメッセージは、前記視聴者測定クッキーの識別子を含む、サブステップをさらに含む、請求項１に記載の装置。
【請求項４】
前記通信インターフェースが、前記第１の要求において前記視聴者測定エンティティクッキーを送る、請求項１に記載の装置。
【請求項５】
前記第２の要求が、さらに前記データベース所有者に対して、前記クライアントデバイスに関連付けられた人口統計特性を前記視聴者測定エンティティへ送らせる、請求項１に記載の装置。
【請求項６】
前記命令が、さらに前記クライアントデバイスに対して、
前記視聴者測定エンティティに第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップであって、前記第２のデータベース所有者クッキーが前記第２のデータベース所有者に対応する、ステップと、
を実行させる、請求項１に記載の装置。
【請求項７】
前記第２の要求が、前記データベース所有者に対して、前記クッキーマッピングを前記視聴者測定エンティティへ非同期式で送らせる、請求項１に記載の装置。
【請求項８】
通信インターフェースにより、命令をウェブサイト内に含めるように提供するステップであって、該命令は、命令実行の際にクライアントデバイスに対してプロセスを開始させ、前記プロセスが、
視聴者測定エンティティに第１の要求を送るサブステップと、
第２の要求を送るサブステップであって、該第２の要求は、データベース所有者に対して、前記クライアントデバイスに対応するデータベース所有者クッキーへの視聴者測定エンティティクッキーのクッキーマッピングを前記視聴者測定エンティティへ送らせ、前記視聴者測定エンティティクッキーは、前記視聴者測定エンティティに対応する第１のサーバによって前記クライアントデバイスにおいて設定され、前記データベース所有者クッキーは、前記データベース所有者に対応する第２のサーバによって前記クライアントデバイスにおいて設定される、サブステップと、
を含む、提供するステップ
を含む方法。
【請求項９】
前記ウェブサイトに関連付けられた情報を受け取ると共に前記情報に基づいて前記命令を作成するステップをさらに含む、請求項８に記載の方法。
【請求項１０】
前記プロセスが、前記視聴者測定エンティティから、前記視聴者測定クッキーの識別子を含むリダイレクトメッセージを受け取るサブステップをさらに含む、請求項９に記載の方法。
【請求項１１】
前記命令が、さらに前記クライアントデバイスに対して、前記第１の要求において前記視聴者測定エンティティクッキーを送ることを実行させる、請求項８に記載の方法。
【請求項１２】
前記第２の要求が、さらに前記データベース所有者に対して、前記クライアントデバイスに関連付けられた人口統計特性を前記視聴者測定エンティティへ送らせる、請求項８に記載の方法。
【請求項１３】
前記命令が、さらに前記クライアントデバイスに対して、
前記視聴者測定エンティティへの第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる、前記第２のデータベース所有者への第４の要求を送るステップであって、第２のデータベース所有者クッキーが前記第２のデータベース所有者に対応する、ステップと、
を実行させる、請求項８に記載の方法。
【請求項１４】
前記第２の要求が、前記データベース所有者に対して、前記クッキーマッピングを前記視聴者測定エンティティへ非同期式で送らせる、請求項８に記載の方法。
【請求項１５】
コンピュータ読み取り可能な命令を含むコンピュータ読み取り可能な記憶媒体であって、
前記コンピュータ読み取り可能な命令は、実行時にクライアントデバイスに対して少なくとも、
視聴者測定エンティティへの第１の要求を送るステップと、
データベース所有者に対して、前記クライアントデバイスに対応するデータベース所有者クッキーへの視聴者測定エンティティクッキーのクッキーマッピングを前記視聴者測定エンティティへ送らせる第２の要求を送るステップであって、前記視聴者測定エンティティクッキーは、前記視聴者測定エンティティに対応する第１のサーバによって前記クライアントデバイスにおいて設定され、前記データベース所有者クッキーは、前記データベース所有者に対応する第２のサーバによって前記クライアントデバイスにおいて設定される、ステップと、
を実行させる、コンピュータ読み取り可能な記憶媒体。
【請求項１６】
前記命令が、前記クライアントデバイスによりアクセスされるウェブサイトに埋め込まれる、請求項１５に記載の記憶媒体。
【請求項１７】
前記命令が、さらに前記クライアントデバイスに対して、
前記視聴者測定エンティティからリダイレクトメッセージを受け取るステップであって、該リダイレクトメッセージは、前記視聴者測定クッキーの識別子を含む、ステップを実行させる、請求項１６に記載の記憶媒体。
【請求項１８】
前記命令が、さらに前記クライアントデバイスに対して、前記第１の要求において前記視聴者測定エンティティクッキーを送ることを実行させる、請求項１５に記載の記憶媒体。
【請求項１９】
前記第２の要求が、さらに前記データベース所有者に対して、前記クライアントデバイスに関連付けられた人口統計特性を前記視聴者測定エンティティへ送らせる、請求項１５に記載の記憶媒体。
【請求項２０】
前記命令が、さらに前記クライアントデバイスに対して、
第３の要求を前記視聴者測定エンティティへ送るステップと、
第２のデータベース所有者に対して、第２のデータベース所有者クッキーへの前記視聴者測定エンティティクッキーの第２のクッキーマッピングを前記視聴者測定エンティティへ送らせる、前記第２のデータベース所有者への第４の要求を送るステップであって、前記第２のデータベース所有者クッキーが前記第２のデータベース所有者に対応する、ステップと、
を実行させる、請求項１５に記載の記憶媒体。
【請求項２１】
前記第２の要求が、前記データベース所有者に対して、前記クッキーマッピングを前記視聴者測定エンティティへ非同期式で送らせる、請求項１５に記載の記憶媒体。
【手続補正２】
【補正対象書類名】明細書
【補正対象項目名】０１５２
【補正方法】変更
【補正の内容】
【０１５２】
[00152]ある種の例示の方法、装置及び製品について本明細書に開示しているが、本特許の包含範囲はこれらに限定されるものではない。そうではなく本特許は、本特許の特許請求の範囲の趣旨域内に妥当に属するとされるすべての方法、装置及び製品を包含するものである。
［項目１］
要求への応答を送るステップであって、該応答は、視聴者測定エンティティによって使用される第１のクッキーの識別と、データベース所有者の指示と、を含む、ステップと、
前記データベース所有者によって使用される第２のクッキーへの前記第１のクッキーのマッピングと、前記データベース所有者によって前記第２のクッキーに関連付けられた人口統計情報と、を受け取るステップと、
を含む方法。
［項目２］
前記マッピング及び前記人口統計情報が前記データベース所有者から非同期式通信で受け取られる、項目１に記載の方法。
［項目３］
前記応答がリダイレクトメッセージを含み、該リダイレクトメッセージはクライアントデバイスに前記データベース所有者へ要求を送らせる、項目１に記載の方法。
［項目４］
前記マッピングが第１の時点で受け取られ、且つ前記人口統計情報が前記第１の時点後の第２の時点で受け取られる、項目１に記載の方法。
［項目５］
前記要求の発生元のウェブサイトに基づいてデータベース所有者リストから前記データベース所有者を選択するステップをさらに含む、項目１に記載の方法。
［項目６］
前記データベース所有者を選択する前記ステップが、前記ウェブサイトに関連付けられた予想される人口統計グループに関して前記データベース所有者によって提供される人口統計情報の品質を決定するサブステップを含む、項目５に記載の方法。
［項目７］
前記要求が前記第１のクッキーを含むかどうかを決定すると共に、前記要求が前記第１のクッキーを含まないときに前記第１のクッキーを作成するステップをさらに含む、項目１に記載の方法。
［項目８］
要求への応答を送るリダイレクト器であって、該応答は、視聴者測定エンティティによって使用される第１のクッキーの識別と、データベース所有者の指示と、を含む、リダイレクト器と、
前記データベース所有者によって使用される第２のクッキーへの前記第１のクッキーのマッピングと、データベース所有者によって前記第２のクッキーに関連付けられた人口統計情報と、を受け取る通信インターフェースと、
を備える装置。
［項目９］
前記通信インターフェースが、前記マッピング及び人口統計情報を前記データベース所有者から非同期式通信で受け取る、項目８に記載の装置。
［項目１０］
前記応答がリダイレクトメッセージを含み、該リダイレクトメッセージはクライアントデバイスに前記データベース所有者へ要求を送らせるためのリダイレクトメッセージを含む、項目８に記載の装置。
［項目１１］
前記通信インターフェースが、第１の時点で前記マッピングを受け取り且つ前記第１の時点後の第２の時点で前記人口統計情報を受け取る、項目８に記載の装置。
［項目１２］
前記要求の発生元のウェブサイトに基づいてデータベース所有者リストから前記データベース所有者を選択するためのパートナ選択器をさらに備える、項目８に記載の装置。
［項目１３］
前記パートナ選択器が前記データベース所有者の選択を行い、該選択は、前記ウェブサイトに関連付けられた予想される人口統計グループに関して前記データベース所有者によって提供される人口統計情報の品質を決定することを含む、項目１２に記載の装置。
［項目１４］
クッキー作成器をさらに備えており、前記リダイレクト器が前記要求が前記第１のクッキーを含むかどうかを決定すると共に、前記要求が前記第１のクッキーを含まないときに前記クッキー作成器が前記第１のクッキーを生成する、項目８に記載の装置。
［項目１５］
コンピュータ読み取り可能な命令を含むコンピュータ読み取り可能記憶媒体であって、
前記コンピュータ読み取り可能な命令は、実行時にプロセッサに対して少なくとも、
要求への応答を送るステップであって、該応答は、視聴者測定エンティティによって使用される第１のクッキーの識別と、データベース所有者の指示と、を含む、ステップと、
前記データベース所有者によって使用され且つ前記データベース所有者から受け取った第２のクッキーへの前記第１のクッキーのマッピングを記憶させると共に、前記第２のクッキーに関連付けされ且つ前記データベース所有者から受け取った人口統計情報を記憶するステップと、
を実行させる、コンピュータ読み取り可能記憶媒体。
［項目１６］
前記マッピング及び人口統計情報が前記データベース所有者から非同期式通信で受け取られる、項目１５に記載の記憶媒体。
［項目１７］
前記応答がリダイレクトメッセージを含み、該リダイレクトメッセージはクライアントデバイスに前記データベース所有者へ要求を送らせる、項目１５に記載の記憶媒体。
［項目１８］
前記マッピングが第１の時点で受け取られ、且つ前記人口統計情報が前記第１の時点後の第２の時点で受け取られる、項目１５に記載の記憶媒体。
［項目１９］
前記命令が、さらに前記プロセッサに対して、前記要求の発生元のウェブサイトに基づいてデータベース所有者リストから前記データベース所有者を選択させる、項目１５に記載の記憶媒体。
［項目２０］
前記命令が、前記プロセッサに対して、前記ウェブサイトに関連付けられた予想される人口統計グループに関して前記データベース所有者によって提供される人口統計情報の品質の決定によって前記データベース所有者を選択させる、項目１９に記載の記憶媒体。
［項目２１］
前記命令が、さらに前記プロセッサに対して、前記要求が前記第１のクッキーかどうかを決定させると共に前記要求が前記第１のクッキーを含まないときに前記第１のクッキーを作成させる、項目１５に記載の記憶媒体。
［項目２２］
クライアントデバイスから第１の要求を受け取るステップであって、該第１の要求は視聴者測定エンティティクッキー識別子を含む、ステップと、
前記クライアントに関連付けられたデータベース所有者クッキーへの前記視聴者測定エンティティクッキーのクッキーマッピングを決定するステップと、
を含む方法。
［項目２３］
前記クライアントに対して前記クッキーマッピングを前記視聴者測定エンティティへ送らせるためのリダイレクトメッセージを送るステップをさらに含む、項目２２に記載の方法。
［項目２４］
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、項目２３に記載の方法。
［項目２５］
前記視聴者測定エンティティへ、前記クッキーマッピングを含むメッセージを送るステップをさらに含む、項目２２に記載の方法。
［項目２６］
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、項目２５に記載の方法。
［項目２７］
クライアントデバイスから第１の要求を受け取るステップであって、該第１の要求は視聴者測定エンティティクッキー識別子を含む、ステップと、
前記クッキーに関連付けられた視聴者測定エンティティへクッキーマッピングを提供するステップであって、該クッキーマッピングは、データベース所有者クッキーと前記クライアントに関連付けられた前記視聴者測定クッキーとの間の関連付けを含むステップと、
を含む方法。
［項目２８］
前記クッキーマッピングを提供する前記ステップが、前記クライアントに対して前記クッキーマッピングを前記視聴者測定エンティティへ送らせるためのリダイレクトメッセージを送るサブステップを含む、項目２７に記載の方法。
［項目２９］
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、項目２８に記載の方法。
［項目３０］
前記クッキーマッピングを提供する前記ステップが、前記クッキーマッピングを含むメッセージを前記視聴者測定エンティティへ送るサブステップを含む、項目２７に記載の方法。
［項目３１］
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、項目３０に記載の方法。
［項目３２］
クライアントデバイスから第１の要求を受け取る通信インターフェースであって、該第１の要求は視聴者測定エンティティクッキー識別子を含む、通信インターフェースと、
前記クライアントに関連付けられたデータベース所有者クッキーへの前記視聴者測定エンティティクッキーのクッキーマッピングを決定するクッキーマッピング器と、
を備える装置。
［項目３３］
前記通信インターフェースが、前記クッキーに関連付けられた視聴者測定エンティティへクッキーマッピングを提供し、該クッキーマッピングは、前記データベース所有者クッキーと前記クライアントに関連付けられた前記視聴者測定クッキーとの間の関連付けを含む、項目３２に記載の装置。
［項目３４］
前記通信インターフェースが、前記クライアントに対して前記視聴者測定エンティティへ前記クッキーマッピングを送らせるためのリダイレクトメッセージを送ることによって、前記クッキーマッピングを提供する、項目３３に記載の装置。
［項目３５］
前記リダイレクトメッセージが、データベース所有者クッキー識別子、前記視聴者測定エンティティクッキー識別子、及び前記データベース所有者クッキー識別子と前記視聴者測定エンティティクッキー識別子との間の関連付けに関する指示を含む、項目３４に記載の装置。
［項目３６］
前記通信インターフェースが、前記視聴者測定エンティティへ、前記クッキーマッピングを含むメッセージを送ることによって前記クッキーマッピングを提供する、項目３３に記載の装置。
［項目３７］
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、項目３６に記載の装置。
［項目３８］
クライアントデバイスから視聴者測定エンティティクッキー識別子を含む第１の要求を受け取ると共に、前記クッキーに関連付けられた視聴者測定エンティティへ、データベース所有者クッキーと前記クライアントに関連付けられた前記視聴者測定クッキーとの間の関連付けを含むクッキーマッピングを含むメッセージを提供する通信インターフェースと、
命令を実行するプロセッサであって、前記命令が前記プロセッサに対して前記メッセージを作成させる、プロセッサと、
を備える装置。
［項目３９］
コンピュータ読み取り可能な命令を含むコンピュータ読み取り可能記憶媒体であって、
前記コンピュータ読み取り可能な命令は、実行時にプロセッサに対して少なくとも、
クライアントデバイスから第１の要求にアクセスするステップであって、該第１の要求は視聴者測定エンティティクッキー識別子を含む、ステップと、
前記クライアントに関連付けられたデータベース所有者クッキーへの前記視聴者測定エンティティクッキーのクッキーマッピングを決定するステップと、
を実行させる、コンピュータ読み取り可能記憶媒体。
［項目４０］
前記クライアントに対して前記視聴者測定エンティティへ前記クッキーマッピングを送らせるためのリダイレクトメッセージを送るステップをさらに含む、項目３９に記載の記憶媒体。
［項目４１］
前記リダイレクトメッセージが、データベース所有者クッキー識別子、前記視聴者測定エンティティクッキー識別子、及び前記データベース所有者クッキー識別子と前記視聴者測定エンティティクッキー識別子の間の関連付けに関する指示を含む、項目４０に記載の記憶媒体。
［項目４２］
前記視聴者測定エンティティへ、前記クッキーマッピングを含むメッセージを送るステップをさらに含む、項目３９に記載の記憶媒体。
［項目４３］
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、項目４２に記載の記憶媒体。
［項目４４］
コンピュータ読み取り可能な命令を含むコンピュータ読み取り可能記憶媒体であって、
前記コンピュータ読み取り可能な命令は、実行時にプロセッサに対して少なくとも、
クライアントデバイスから第１の要求にアクセスするステップであって、該第１の要求は視聴者測定エンティティクッキー識別子を含む、ステップと、
前記クッキーに関連付けられた視聴者測定エンティティへ、データベース所有者クッキーと前記クライアントに関連付けられた前記視聴者測定クッキーとの間の関連付けを含むクッキーマッピングを提供するステップと、
を実行させる、コンピュータ読み取り可能記憶媒体。
［項目４５］
前記クッキーマッピングを提供するステップが、前記クライアントに対して前記視聴者測定エンティティへ前記クッキーマッピングを送らせるためのリダイレクトメッセージを送るサブステップを含む、項目４４に記載の記憶媒体。
［項目４６］
前記リダイレクトメッセージが、データベース所有者クッキー識別子、前記視聴者測定エンティティクッキー識別子、及び前記データベース所有者クッキー識別子と前記視聴者測定エンティティクッキー識別子の間の関連付けに関する指示を含む、項目４５に記載の記憶媒体。
［項目４７］
前記クッキーマッピングを提供するステップが、前記視聴者測定エンティティへ、前記クッキーマッピングを含むメッセージを送るサブステップを含む、項目４４に記載の記憶媒体。
［項目４８］
前記メッセージが、第２のクライアントデバイスに関する第２の視聴者測定エンティティクッキー識別子と前記第２のクライアントデバイスに関連付けられた第２のデータベース所有者クッキーとの間の第２のクッキーマッピングをさらに含む、項目４７に記載の記憶媒体。
［項目４９］
命令をウェブサイト内に含めるように提供するステップであって、該命令は、命令実行の際にクライアントに対してプロセスを開始させ、前記プロセスが、
視聴者測定エンティティに第１の要求を送るサブステップと、
第２の要求を送るサブステップであって、該第２の要求は、データベース所有者に対して、前記クライアントに対応するデータベース所有者クッキーへの視聴者測定エンティティクッキーのクッキーマッピングを前記視聴者測定エンティティへ送らせる、サブステップと、
を含む、提供するステップ
を含む方法。
［項目５０］
前記ウェブサイトに関連付けられた情報を受け取ると共に前記情報に基づいて前記命令を作成するステップをさらに含む、項目４９に記載の方法。
［項目５１］
前記プロセスが、前記視聴者測定エンティティから、前記視聴者測定クッキーの識別子を含むリダイレクトメッセージを受け取るサブステップをさらに含む、項目５０に記載の方法。
［項目５２］
通信インターフェースと、
ウェブサイト内に含ませる命令を作成すると共に、前記通信インターフェースに対して前記命令を前記ウェブサイトに関連付けられたウェブサーバに提供させるプロセッサであって、前記命令は、前記命令の実行時にクライアントに対してプロセスを開始させ、前記プロセスは、
視聴者測定エンティティへの第１の要求を送るサブステップと、
データベース所有者に対して、前記クライアントに対応するデータベース所有者クッキーへの視聴者測定エンティティクッキーのクッキーマッピングを前記視聴者測定エンティティへ送らせる第２の要求を送るサブステップと、
を含む、プロセッサと、
を備える装置。
［項目５３］
前記通信インターフェースが前記ウェブサイトに関連付けられた情報を受け取り、前記プロセッサが前記情報に基づいて前記命令を作成する、項目５２に記載の装置。
［項目５４］
前記プロセスが、前記視聴者測定エンティティからリダイレクトメッセージを受け取るサブステップであって、該リダイレクトメッセージは、前記視聴者測定クッキーの識別子を含む、サブステップをさらに含む、項目５２に記載の装置。
［項目５５］
視聴者測定エンティティへの第１の要求を送るステップと、
データベース所有者に対して、クライアントに対応するデータベース所有者クッキーへの視聴者測定エンティティクッキーのクッキーマッピングを前記視聴者測定エンティティへ送らせる第２の要求を送るステップと、
を含む方法。
［項目５６］
前記データベース所有者クッキーを記憶するステップをさらに含む、項目５５に記載の方法。
［項目５７］
前記視聴者測定エンティティへの前記第１の要求を送る前記ステップが、ウェブページにおけるビーコン命令の実行に応答する、項目５５に記載の方法。
［項目５８］
前記第２の要求が、さらに前記データベース所有者に対して、前記クライアントに関連付けられた人口統計特性を前記視聴者測定エンティティへ送らせる、項目５５に記載の方法。
［項目５９］
前記視聴者測定エンティティへの第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
をさらに含む、項目５５に記載の方法。
［項目６０］
前記第２の要求が、前記データベース所有者に対して、前記クッキーマッピングを前記視聴者測定エンティティへ非同期式で送らせる、項目５５に記載の方法。
［項目６１］
前記視聴者測定エンティティへ前記クッキーマッピングを含む第３の要求を送るステップをさらに含む、項目５５に記載の方法。
［項目６２］
通信インターフェースと
ウェブブラウザであって、
前記通信インターフェースを介して視聴者測定エンティティへの第１の要求を送るステップ、及び
データベース所有者に対して、クライアントに対応するデータベース所有者クッキーへの視聴者測定エンティティクッキーのクッキーマッピングを前記視聴者測定エンティティへ送らせる第２の要求を、前記通信インターフェースを介して送るステップ、
を実行するウェブブラウザと、
を備える装置。
［項目６３］
前記ウェブブラウザが、前記第１の要求において前記視聴者測定エンティティクッキーを送る、項目６２に記載の装置。
［項目６４］
前記ウェブブラウザが、ウェブページにおけるビーコン命令の実行に応答して前記第１の要求を前記視聴者測定エンティティへ送る、項目６２に記載の装置。
［項目６５］
前記第２の要求が、さらに前記データベース所有者に対して、前記クライアントに関連付けられた人口統計特性を前記視聴者測定エンティティへ送らせる、項目６２に記載の装置。
［項目６６］
前記ウェブブラウザが、
前記視聴者測定エンティティに第３の要求を送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
を実行する、項目６２に記載の装置。
［項目６７］
前記第２の要求が、前記データベース所有者に対して、前記クッキーマッピングを前記視聴者測定エンティティへ非同期式で送らせる、項目６２に記載の装置。
［項目６８］
前記ウェブブラウザが、前記クッキーマッピングを含む第３の要求を前記視聴者測定エンティティへ送る、項目６２に記載の装置。
［項目６９］
コンピュータ読み取り可能な命令を含むコンピュータ読み取り可能記憶媒体であって、
前記コンピュータ読み取り可能な命令は、実行時にプロセッサに対して少なくとも、
視聴者測定エンティティへの第１の要求を送るステップと、
データベース所有者に対して、クライアントに対応するデータベース所有者クッキーへの視聴者測定エンティティクッキーのクッキーマッピングを前記視聴者測定エンティティへ送らせる第２の要求を送るステップと、
を実行させる、コンピュータ読み取り可能記憶媒体。
［項目７０］
前記命令が、さらに前記プロセッサに対して前記データベース所有者クッキーを記憶させる、項目６９に記載の記憶媒体。
［項目７１］
前記命令が、前記プロセッサに対して、ウェブページにおけるビーコン命令の実行に応答して前記第１の要求を前記視聴者測定エンティティへ送らせる、項目６９に記載の記憶媒体。
［項目７２］
前記第２の要求が、さらに前記データベース所有者に対して、前記クライアントに関連付けられた人口統計特性を前記視聴者測定エンティティへ送らせる、項目６９に記載の記憶媒体。
［項目７３］
前記命令が、さらに前記プロセッサに対して、
第３の要求を前記視聴者測定エンティティへ送るステップと、
第２のデータベース所有者に対して、第２のデータベース所有者クッキーへの前記視聴者測定エンティティクッキーの第２のクッキーマッピングを前記視聴者測定エンティティへ送らせる第４の要求を送るステップと、
を実行させる、項目６９に記載の記憶媒体。
［項目７４］
前記命令が、さらに前記プロセッサに対して、前記クッキーマッピングを含む第３の要求を前記視聴者測定エンティティへ送らせる、項目６９に記載の記憶媒体。
【外国語明細書】
2020030849000001.pdf